(57)【特許請求の範囲】
【請求項１】
Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、前記Ｂｌｕｅｔｏｏｔｈ（登録商標）ヘッドセットのＢｌｕｅｔｏｏｔｈ（登録商標）機能は、前記Ｂｌｕｅｔｏｏｔｈ（登録商標）ヘッドセットが前記ウェアラブルデバイスから取り外される前には無効状態にあり、前記Ｂｌｕｅｔｏｏｔｈ（登録商標）ヘッドセットが前記ウェアラブルデバイスから取り外されたことを前記Ｂｌｕｅｔｏｏｔｈ（登録商標）ヘッドセットが検出すると、前記Ｂｌｕｅｔｏｏｔｈ（登録商標）ヘッドセットは、前記Ｂｌｕｅｔｏｏｔｈ（登録商標）機能を有効にするＢｌｕｅｔｏｏｔｈ（登録商標）通信方法であって、
前記ウェアラブルデバイスにより、前記Ｂｌｕｅｔｏｏｔｈ（登録商標）ヘッドセットが前記ウェアラブルデバイスから取り外されたか否かを検出する段階と、
前記Ｂｌｕｅｔｏｏｔｈ（登録商標）ヘッドセットが前記ウェアラブルデバイスから取り外されたことを前記ウェアラブルデバイスが検出すると、前記ウェアラブルデバイスにより第１の通知を通信デバイスに送信する段階とを備え、
前記第１の通知は、Ｂｌｕｅｔｏｏｔｈ（登録商標）を用いて前記Ｂｌｕｅｔｏｏｔｈ（登録商標）ヘッドセットにボイスメッセージを送信するように前記通信デバイスに命令するべく用いられる、方法。
【請求項２】
前記方法は、更に、
前記Ｂｌｕｅｔｏｏｔｈ（登録商標）ヘッドセットが前記ウェアラブルデバイスから取り外されたことを前記ウェアラブルデバイスが検出した後、前記ウェアラブルデバイスにより、前記Ｂｌｕｅｔｏｏｔｈ（登録商標）ヘッドセットとのＢｌｕｅｔｏｏｔｈ（登録商標）ペアリングを確立する段階と、
前記ウェアラブルデバイスにより、前記Ｂｌｕｅｔｏｏｔｈ（登録商標）ヘッドセットの識別子情報を取得して保存する段階とを備え、
前記Ｂｌｕｅｔｏｏｔｈ（登録商標）ヘッドセットの前記識別子情報は、前記Ｂｌｕｅｔｏｏｔｈ（登録商標）ヘッドセットのアドレス情報を含む、請求項１に記載の方法。
【請求項３】
前記第１の通知は、前記Ｂｌｕｅｔｏｏｔｈ（登録商標）ヘッドセットの識別子情報を保持し、
前記第１の通知は、Ｂｌｕｅｔｏｏｔｈ（登録商標）を用いて、前記Ｂｌｕｅｔｏｏｔｈ（登録商標）ヘッドセットの前記識別子情報により示される前記Ｂｌｕｅｔｏｏｔｈ（登録商標）ヘッドセットに前記ボイスメッセージを送信するように前記通信デバイスに命令するべく用いられる、請求項１または２に記載の方法。
【請求項４】
Ｂｌｕｅｔｏｏｔｈ（登録商標）ヘッドセットは、ウェアラブルデバイス上に取り付けけられた取外し可能なＢｌｕｅｔｏｏｔｈ（登録商標）デバイスであり、前記Ｂｌｕｅｔｏｏｔｈ（登録商標）ヘッドセットのＢｌｕｅｔｏｏｔｈ（登録商標）機能は、前記Ｂｌｕｅｔｏｏｔｈ（登録商標）ヘッドセットが前記ウェアラブルデバイスから取り外される前は無効状態にあるＢｌｕｅｔｏｏｔｈ（登録商標）通信方法であって、
前記Ｂｌｕｅｔｏｏｔｈ（登録商標）ヘッドセットが前記ウェアラブルデバイスから取り外されたことを前記Ｂｌｕｅｔｏｏｔｈ（登録商標）ヘッドセットが検出すると、前記Ｂｌｕｅｔｏｏｔｈ（登録商標）機能を有効にする段階と、
前記Ｂｌｕｅｔｏｏｔｈ（登録商標）ヘッドセットによりＢｌｕｅｔｏｏｔｈ（登録商標）ペアリング要求を通信デバイスから受信する段階であって、前記Ｂｌｕｅｔｏｏｔｈ（登録商標）ペアリング要求は、前記通信デバイスが前記ウェアラブルデバイスから通知を受信した後に、前記通信デバイスから送信される、段階と、
前記Ｂｌｕｅｔｏｏｔｈ（登録商標）ヘッドセットにより、前記Ｂｌｕｅｔｏｏｔｈ（登録商標）ペアリング要求に応じて前記通信デバイスとのＢｌｕｅｔｏｏｔｈ（登録商標）ペアリングを確立する段階と、
前記Ｂｌｕｅｔｏｏｔｈ（登録商標）ヘッドセットにより、Ｂｌｕｅｔｏｏｔｈ（登録商標）を用いてボイスメッセージを前記通信デバイスに送信する段階とを備える、方法。
【請求項５】
前記Ｂｌｕｅｔｏｏｔｈ（登録商標）ペアリング要求は、前記Ｂｌｕｅｔｏｏｔｈ（登録商標）ヘッドセットの識別子情報に応じて前記通信デバイスにより送信され、
前記Ｂｌｕｅｔｏｏｔｈ（登録商標）ヘッドセットによりＢｌｕｅｔｏｏｔｈ（登録商標）ペアリング要求を通信デバイスから受信する前記段階の前に、前記方法は、
前記Ｂｌｕｅｔｏｏｔｈ（登録商標）ヘッドセットにより、前記ウェアラブルデバイスとのＢｌｕｅｔｏｏｔｈ（登録商標）ペアリングを確立する段階と、
前記Ｂｌｕｅｔｏｏｔｈ（登録商標）ヘッドセットにより、Ｂｌｕｅｔｏｏｔｈ（登録商標）を用いて前記Ｂｌｕｅｔｏｏｔｈ（登録商標）ヘッドセットの前記識別子情報を前記ウェアラブルデバイスに送信する段階とを更に備え、
前記Ｂｌｕｅｔｏｏｔｈ（登録商標）ヘッドセットの前記識別子情報は、前記Ｂｌｕｅｔｏｏｔｈ（登録商標）ヘッドセットのアドレス情報を含む、請求項４に記載の方法。
【請求項６】
前記Ｂｌｕｅｔｏｏｔｈ（登録商標）ペアリング要求は、前記Ｂｌｕｅｔｏｏｔｈ（登録商標）ヘッドセットの識別子情報に応じて前記通信デバイスにより送信され、
前記Ｂｌｕｅｔｏｏｔｈ（登録商標）ヘッドセットの前記識別子情報は、前記ウェアラブルデバイスに予め格納され、
前記Ｂｌｕｅｔｏｏｔｈ（登録商標）ヘッドセットの前記識別子情報は、前記Ｂｌｕｅｔｏｏｔｈ（登録商標）ヘッドセットのアドレス情報を含む、請求項４に記載の方法。
【請求項７】
前記Ｂｌｕｅｔｏｏｔｈ（登録商標）ヘッドセットにより、Ｂｌｕｅｔｏｏｔｈ（登録商標）を用いてボイスメッセージを前記通信デバイスに送信する前記段階の前に、前記方法は、
前記Ｂｌｕｅｔｏｏｔｈ（登録商標）ヘッドセットにより、前記Ｂｌｕｅｔｏｏｔｈ（登録商標）ヘッドセットが着用状態にあるか否かを検出する段階と、
前記Ｂｌｕｅｔｏｏｔｈ（登録商標）ヘッドセットが前記着用状態にある場合、前記Ｂｌｕｅｔｏｏｔｈ（登録商標）ヘッドセットにより、Ｂｌｕｅｔｏｏｔｈ（登録商標）を用いて前記ボイスメッセージを前記通信デバイスに送信する段階とを更に備える、請求項４〜６のいずれか１項に記載の方法。
【請求項８】
Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、前記Ｂｌｕｅｔｏｏｔｈ（登録商標）ヘッドセットのＢｌｕｅｔｏｏｔｈ（登録商標）機能は、前記Ｂｌｕｅｔｏｏｔｈ（登録商標）ヘッドセットが前記ウェアラブルデバイスから取り外される前は無効状態にあり、前記Ｂｌｕｅｔｏｏｔｈ（登録商標）ヘッドセットが前記ウェアラブルデバイスから取り外されたことを前記Ｂｌｕｅｔｏｏｔｈ（登録商標）ヘッドセットが検出すると、前記Ｂｌｕｅｔｏｏｔｈ（登録商標）ヘッドセットは、前記Ｂｌｕｅｔｏｏｔｈ（登録商標）機能を有効にするＢｌｕｅｔｏｏｔｈ（登録商標）通信方法であって、
通信デバイスにより第１の通知を前記ウェアラブルデバイスから受信する段階と、
前記Ｂｌｕｅｔｏｏｔｈ（登録商標）ヘッドセットの識別子情報に応じて、前記通信デバイスによりＢｌｕｅｔｏｏｔｈ（登録商標）ペアリング要求を前記Ｂｌｕｅｔｏｏｔｈ（登録商標）ヘッドセットに送信する段階と、
前記通信デバイスにより、Ｂｌｕｅｔｏｏｔｈ（登録商標）を用いてボイスメッセージを前記Ｂｌｕｅｔｏｏｔｈ（登録商標）ヘッドセットに送信する段階とを備え、
前記第１の通知は、前記Ｂｌｕｅｔｏｏｔｈ（登録商標）ヘッドセットとのＢｌｕｅｔｏｏｔｈ（登録商標）ペアリングを確立するように前記通信デバイスに命令するべく用いられ、
前記Ｂｌｕｅｔｏｏｔｈ（登録商標）ペアリング要求は、前記通信デバイスとのＢｌｕｅｔｏｏｔｈ（登録商標）ペアリングを確立するように要求するべく用いられ、前記Ｂｌｕｅｔｏｏｔｈ（登録商標）ヘッドセットの前記識別子情報は、前記第１の通知で保持され、または前記Ｂｌｕｅｔｏｏｔｈ（登録商標）ヘッドセットの前記識別子情報は、前記通信デバイスに予め格納される、方法。
【請求項９】
Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、前記Ｂｌｕｅｔｏｏｔｈ（登録商標）ヘッドセットのＢｌｕｅｔｏｏｔｈ（登録商標）機能は、前記Ｂｌｕｅｔｏｏｔｈ（登録商標）ヘッドセットが前記ウェアラブルデバイスから取り外される前は無効状態にあり、前記Ｂｌｕｅｔｏｏｔｈ（登録商標）ヘッドセットが前記ウェアラブルデバイスから取り外されたことを前記Ｂｌｕｅｔｏｏｔｈ（登録商標）ヘッドセットが検出すると、前記Ｂｌｕｅｔｏｏｔｈ（登録商標）ヘッドセットは、前記Ｂｌｕｅｔｏｏｔｈ（登録商標）機能を有効にする前記ウェアラブルデバイスであって、
前記ウェアラブルデバイスは、プロセッサおよび通信モジュールを備え、
前記プロセッサは、前記Ｂｌｕｅｔｏｏｔｈ（登録商標）ヘッドセットが前記ウェアラブルデバイスから取り外されたか否かを検出し、
前記通信モジュールは、前記Ｂｌｕｅｔｏｏｔｈ（登録商標）ヘッドセットが前記ウェアラブルデバイスから取り外されたことを前記プロセッサが検出すると、第１の通知を通信デバイスに送信し、
前記第１の通知は、Ｂｌｕｅｔｏｏｔｈ（登録商標）を用いてボイスメッセージを前記Ｂｌｕｅｔｏｏｔｈ（登録商標）ヘッドセットに送信するように前記通信デバイスに命令するべく用いられる、ウェアラブルデバイス。
【請求項１０】
前記プロセッサは、更に、前記Ｂｌｕｅｔｏｏｔｈ（登録商標）ヘッドセットが前記ウェアラブルデバイスから取り外されたことを検出した後、前記Ｂｌｕｅｔｏｏｔｈ（登録商標）ヘッドセットとのＢｌｕｅｔｏｏｔｈ（登録商標）ペアリングを確立して、前記Ｂｌｕｅｔｏｏｔｈ（登録商標）ヘッドセットの識別子情報を取得し、
前記ウェアラブルデバイスは、ストレージを更に備え、
前記プロセッサは、更に、前記Ｂｌｕｅｔｏｏｔｈ（登録商標）ヘッドセットの前記識別子情報を前記ストレージに保存し、
前記ストレージは、前記プロセッサにより取得された前記Ｂｌｕｅｔｏｏｔｈ（登録商標）ヘッドセットの前記識別子情報を保存し、
前記Ｂｌｕｅｔｏｏｔｈ（登録商標）ヘッドセットの前記識別子情報は、前記Ｂｌｕｅｔｏｏｔｈ（登録商標）ヘッドセットのアドレス情報を含む、請求項９に記載のウェアラブルデバイス。
【請求項１１】
前記通信モジュールにより送信される前記第１の通知は、前記Ｂｌｕｅｔｏｏｔｈ（登録商標）ヘッドセットの識別子情報を保持し、
前記通信モジュールにより送信される前記第１の通知は、Ｂｌｕｅｔｏｏｔｈ（登録商標）を用いて前記Ｂｌｕｅｔｏｏｔｈ（登録商標）ヘッドセットの前記識別子情報により示される前記Ｂｌｕｅｔｏｏｔｈ（登録商標）ヘッドセットに前記ボイスメッセージを送信するように前記通信デバイスに命令するべく用いられる、請求項９に記載のウェアラブルデバイス。
【請求項１２】
Ｂｌｕｅｔｏｏｔｈ（登録商標）ヘッドセットであって、
前記Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、前記Ｂｌｕｅｔｏｏｔｈ（登録商標）ヘッドセットのＢｌｕｅｔｏｏｔｈ（登録商標）機能は、前記Ｂｌｕｅｔｏｏｔｈ（登録商標）ヘッドセットが前記ウェアラブルデバイスから取り外される前は無効状態にあり、
前記Ｂｌｕｅｔｏｏｔｈ（登録商標）ヘッドセットは、プロセッサおよび通信モジュールを備え、
前記プロセッサは、前記Ｂｌｕｅｔｏｏｔｈ（登録商標）ヘッドセットが前記ウェアラブルデバイスから取り外されたか否かを検出し、前記Ｂｌｕｅｔｏｏｔｈ（登録商標）ヘッドセットが前記ウェアラブルデバイスから取り外されたことが検出されると、前記Ｂｌｕｅｔｏｏｔｈ（登録商標）機能を有効にし、
前記通信モジュールは、Ｂｌｕｅｔｏｏｔｈ（登録商標）ペアリング要求を通信デバイスから受信し、前記Ｂｌｕｅｔｏｏｔｈ（登録商標）ペアリング要求は、前記通信デバイスが前記ウェアラブルデバイスから通知を受信した後に、前記通信デバイスから送信され、
前記プロセッサは、更に、前記通信モジュールにより受信された前記Ｂｌｕｅｔｏｏｔｈ（登録商標）ペアリング要求に応じて前記通信デバイスとのＢｌｕｅｔｏｏｔｈ（登録商標）ペアリングを確立し、
前記通信モジュールは、更に、前記プロセッサが前記通信デバイスとの前記Ｂｌｕｅｔｏｏｔｈ（登録商標）ペアリングを確立した後、Ｂｌｕｅｔｏｏｔｈ（登録商標）を用いてボイスメッセージを前記通信デバイスに送信し、
前記プロセッサは、更に、Ｂｌｕｅｔｏｏｔｈ（登録商標）を用いて前記ボイスメッセージが前記通信デバイスに送信される前に、前記Ｂｌｕｅｔｏｏｔｈ（登録商標）ヘッドセットが着用状態にあるか否かを検出し、
前記通信モジュールは、更に、前記Ｂｌｕｅｔｏｏｔｈ（登録商標）ヘッドセットが前記着用状態にあることを前記プロセッサが検出すると、Ｂｌｕｅｔｏｏｔｈ（登録商標）を用いて前記ボイスメッセージを前記通信デバイスに送信する、
Ｂｌｕｅｔｏｏｔｈ（登録商標）ヘッドセット。
【請求項１３】
前記通信モジュールにより受信される前記Ｂｌｕｅｔｏｏｔｈ（登録商標）ペアリング要求は、前記Ｂｌｕｅｔｏｏｔｈ（登録商標）ヘッドセットの識別子情報に応じて前記通信デバイスにより送信され、
前記プロセッサは、更に、前記通信モジュールが前記Ｂｌｕｅｔｏｏｔｈ（登録商標）ペアリング要求を前記通信デバイスから受信する前に、前記ウェアラブルデバイスとのＢｌｕｅｔｏｏｔｈ（登録商標）ペアリングを確立し、
前記通信モジュールは、更に、Ｂｌｕｅｔｏｏｔｈ（登録商標）を用いて前記Ｂｌｕｅｔｏｏｔｈ（登録商標）ヘッドセットの前記識別子情報を前記ウェアラブルデバイスに送信し、前記Ｂｌｕｅｔｏｏｔｈ（登録商標）ヘッドセットの前記識別子情報は、前記Ｂｌｕｅｔｏｏｔｈ（登録商標）ヘッドセットのアドレス情報を含み、前記Ｂｌｕｅｔｏｏｔｈ（登録商標）ヘッドセットの前記識別子情報は、前記ウェアラブルデバイスとの前記Ｂｌｕｅｔｏｏｔｈ（登録商標）ペアリングを確立することにより、前記プロセッサによって取得される、請求項１２に記載のＢｌｕｅｔｏｏｔｈ（登録商標）ヘッドセット。
【請求項１４】
前記通信モジュールにより受信される前記Ｂｌｕｅｔｏｏｔｈ（登録商標）ペアリング要求は、前記Ｂｌｕｅｔｏｏｔｈ（登録商標）ヘッドセットの識別子情報に応じて前記通信デバイスにより送信され、
前記Ｂｌｕｅｔｏｏｔｈ（登録商標）ヘッドセットの前記識別子情報は、前記ウェアラブルデバイスに予め格納され、
前記Ｂｌｕｅｔｏｏｔｈ（登録商標）ヘッドセットの前記識別子情報は、前記Ｂｌｕｅｔｏｏｔｈ（登録商標）ヘッドセットのアドレス情報を含む、請求項１２に記載のＢｌｕｅｔｏｏｔｈ（登録商標）ヘッドセット。
【請求項１５】
Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、前記Ｂｌｕｅｔｏｏｔｈ（登録商標）ヘッドセットのＢｌｕｅｔｏｏｔｈ（登録商標）機能は、前記Ｂｌｕｅｔｏｏｔｈ（登録商標）ヘッドセットが前記ウェアラブルデバイスから取り外される前は無効状態にあり、前記Ｂｌｕｅｔｏｏｔｈ（登録商標）ヘッドセットが前記ウェアラブルデバイスから取り外されたことを前記Ｂｌｕｅｔｏｏｔｈ（登録商標）ヘッドセットが検出すると、前記Ｂｌｕｅｔｏｏｔｈ（登録商標）ヘッドセットは、前記Ｂｌｕｅｔｏｏｔｈ（登録商標）機能を有効にする通信デバイスであって、
前記通信デバイスは、通信モジュールおよびプロセッサを備え、
前記通信モジュールは、第１の通知を前記ウェアラブルデバイスから受信し、
前記第１の通知は、前記Ｂｌｕｅｔｏｏｔｈ（登録商標）ヘッドセットとのＢｌｕｅｔｏｏｔｈ（登録商標）ペアリングを確立するように前記通信デバイスに命令するべく用いられ、
前記プロセッサは、前記Ｂｌｕｅｔｏｏｔｈ（登録商標）ヘッドセットの識別子情報に応じて、Ｂｌｕｅｔｏｏｔｈ（登録商標）ペアリング要求を前記Ｂｌｕｅｔｏｏｔｈ（登録商標）ヘッドセットに送信するように前記通信モジュールを制御し、
前記Ｂｌｕｅｔｏｏｔｈ（登録商標）ペアリング要求は、前記通信デバイスとのＢｌｕｅｔｏｏｔｈ（登録商標）ペアリングを確立するように要求するべく用いられ、
前記Ｂｌｕｅｔｏｏｔｈ（登録商標）ヘッドセットの前記識別子情報は、前記通信モジュールにより受信される前記第１の通知で保持され、または前記Ｂｌｕｅｔｏｏｔｈ（登録商標）ヘッドセットの前記識別子情報は、前記通信デバイスに予め格納され、Ｂｌｕｅｔｏｏｔｈ（登録商標）を用いてボイスメッセージを前記Ｂｌｕｅｔｏｏｔｈ（登録商標）ヘッドセットに送信するように前記通信モジュールを制御する、通信デバイス。
【発明の詳細な説明】
【技術分野】
【０００１】
本発明は、通信技術の分野に関し、具体的にはＢｌｕｅｔｏｏｔｈ（登録商標）通信方法およびデバイスに関する。
【背景技術】
【０００２】
電子技術が発展するにつれて、全く新しいインタラクション方式をユーザおよび電子デバイスに提供し得、専用のカスタマイズされたサービスを各ユーザに提供し得るタイプの電子製品として、Ｂｌｕｅｔｏｏｔｈ（登録商標）リストバンドまたはＢｌｕｅｔｏｏｔｈ（登録商標）ウォッチ等のウェアラブルデバイスが、人々の日常生活、労働、および学習にいつの間にか影響を与え、人々の日常生活、労働、および学習を容易なものとしている。
【０００３】
（Ｂｌｕｅｔｏｏｔｈ（登録商標）機能を有する）通信デバイスが別のデバイスにより送信されたメッセージ（ショートメッセージサービスのメッセージ、電子メール、通話、または別のメッセージを含む）を受信すると、Ｂｌｕｅｔｏｏｔｈ（登録商標）リストバンドまたはＢｌｕｅｔｏｏｔｈ（登録商標）ウォッチ等のウェアラブルデバイスは、Ｂｌｕｅｔｏｏｔｈ（登録商標）を用いて、通信デバイスにより送信された通知を受信し得、この通知は、通信デバイスが別のデバイスにより送信されたメッセージを受信したことを示して、ユーザに通信デバイスが別のデバイスにより送信されたメッセージを受信したことを表示するべく用いられる。
【０００４】
産業においてＢｌｕｅｔｏｏｔｈ（登録商標）リストバンドまたはＢｌｕｅｔｏｏｔｈ（登録商標）ウォッチのようなウェアラブルデバイスの使用シナリオを拡大させるべく、取り外し可能なＢｌｕｅｔｏｏｔｈ（登録商標）ヘッドセットがウェアラブルデバイス上に取り付けられる。すなわち、Ｂｌｕｅｔｏｏｔｈ（登録商標）ヘッドセットは、ウェアラブルデバイスの一部として用いられ、従って、通信デバイスが別のデバイスにより送信されたメッセージを受信したことをウェアラブルデバイスがユーザに表示すると、ユーザは、Ｂｌｕｅｔｏｏｔｈ（登録商標）ヘッドセットをウェアラブルデバイスから取り外し、Ｂｌｕｅｔｏｏｔｈ（登録商標）ヘッドセットを用いることにより通話に直接応答し、またはショートメッセージサービスのメッセージもしくは電子メール等の情報を聞き取ることができる。
【０００５】
現在、ウェアラブルデバイス上のＢｌｕｅｔｏｏｔｈ（登録商標）ヘッドセットが通話に応答し、またはショートメッセージサービスのメッセージを聞き取り、あるいは電子メール等の情報を読み取るべく用いられる処理において、Ｂｌｕｅｔｏｏｔｈ（登録商標）ヘッドセットは、ウェアラブルデバイスの一部としてウェアラブルデバイス上に取り付けられるが、ウェアラブルデバイスは、Ｂｌｕｅｔｏｏｔｈ（登録商標）ヘッドセットと通信デバイスとの間のデータ交換に関係せず、Ｂｌｕｅｔｏｏｔｈ（登録商標）ヘッドセットは、Ｂｌｕｅｔｏｏｔｈ（登録商標）機能を有効にして、通信デバイスへの接続を確立する必要があり、これによりＢｌｕｅｔｏｏｔｈ（登録商標）ヘッドセットの電力消費量が相対的に高いという結果になる。
【発明の概要】
【０００６】
本発明の複数の実施形態は、Ｂｌｕｅｔｏｏｔｈ（登録商標）ヘッドセット、ウェアラブルデバイス、および通信デバイス間のデータ交換を用いてメッセージの聞き取りを実装し得、Ｂｌｕｅｔｏｏｔｈ（登録商標）ヘッドセットの電力消費量も低減し得る、Ｂｌｕｅｔｏｏｔｈ（登録商標）通信方法およびデバイスを提供する。
【０００７】
上述の複数の目的を達成するべく、以下の複数の技術的解決法が本発明の複数の実施形態において用いられる。
【０００８】
本発明の複数の実施形態の第１の態様はＢｌｕｅｔｏｏｔｈ（登録商標）通信方法を提供し、Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前には無効状態にあり、Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）ヘッドセットは、Ｂｌｕｅｔｏｏｔｈ（登録商標）機能を有効にし、本方法は、ウェアラブルデバイスにより、Ｂｌｕｅｔｏｏｔｈ（登録商標）ヘッドセットがウェアラブルデバイスから取り外されたか否かを検出する段階と、Ｂｌｕｅｔｏｏｔｈ（登録商標）ヘッドセットがウェアラブルデバイスから取り外されたことをウェアラブルデバイスが検出すると、ウェアラブルデバイスにより第１の通知を通信デバイスに送信する段階とを備え、第１の通知は、Ｂｌｕｅｔｏｏｔｈ（登録商標）を用いてＢｌｕｅｔｏｏｔｈ（登録商標）ヘッドセットにボイスメッセージを送信するように通信デバイスに命令するべく用いられる。
【０００９】
第１の可能な実装方式における第１の態様を参照すると、方法は、Ｂｌｕｅｔｏｏｔｈ（登録商標）ヘッドセットがウェアラブルデバイスから取り外されたことをウェアラブルデバイスが検出した後、ウェアラブルデバイスにより、Ｂｌｕｅｔｏｏｔｈ（登録商標）ヘッドセットとのＢｌｕｅｔｏｏｔｈ（登録商標）ペアリングを確立する段階と、ウェアラブルデバイスにより、Ｂｌｕｅｔｏｏｔｈ（登録商標）ヘッドセットの識別子情報を取得して保存する段階とを更に備え、Ｂｌｕｅｔｏｏｔｈ（登録商標）ヘッドセットの識別子情報は、Ｂｌｕｅｔｏｏｔｈ（登録商標）ヘッドセットのアドレス情報を含む。
【００１０】
別の可能な実装方式における第１の態様および上述の可能な実装方式を参照すると、第１の通知は、Ｂｌｕｅｔｏｏｔｈ（登録商標）ヘッドセットの識別子情報を保持し、第１の通知は、Ｂｌｕｅｔｏｏｔｈ（登録商標）を用いて、Ｂｌｕｅｔｏｏｔｈ（登録商標）ヘッドセットの識別子情報により示されるＢｌｕｅｔｏｏｔｈ（登録商標）ヘッドセットにボイスメッセージを送信するように通信デバイスに命令するべく用いられる。
【００１１】
本発明の複数の実施形態の第２の態様は、Ｂｌｕｅｔｏｏｔｈ（登録商標）通信方法を提供し、Ｂｌｕｅｔｏｏｔｈ（登録商標）ヘッドセットは、ウェアラブルデバイス上に取り付けけられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にあり、方法は、Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）機能を有効にする段階と、Ｂｌｕｅｔｏｏｔｈ（登録商標）ヘッドセットによりＢｌｕｅｔｏｏｔｈ（登録商標）ペアリング要求を通信デバイスから受信する段階と、Ｂｌｕｅｔｏｏｔｈ（登録商標）ヘッドセットにより、Ｂｌｕｅｔｏｏｔｈ（登録商標）ペアリング要求に応じて通信デバイスとのＢｌｕｅｔｏｏｔｈ（登録商標）ペアリングを確立する段階と、Ｂｌｕｅｔｏｏｔｈ（登録商標）ヘッドセットにより、Ｂｌｕｅｔｏｏｔｈ（登録商標）を用いてボイスメッセージを通信デバイスに送信する段階とを備える。
【００１２】
可能な実装方式における第２の態様を参照すると、Ｂｌｕｅｔｏｏｔｈ（登録商標）ペアリング要求は、Ｂｌｕｅｔｏｏｔｈ（登録商標）ヘッドセットの識別子情報に応じて通信デバイスにより送信され、Ｂｌｕｅｔｏｏｔｈ（登録商標）ヘッドセットによりＢｌｕｅｔｏｏｔｈ（登録商標）ペアリング要求を通信デバイスから受信する段階の前に、方法は、Ｂｌｕｅｔｏｏｔｈ（登録商標）ヘッドセットにより、ウェアラブルデバイスとのＢｌｕｅｔｏｏｔｈ（登録商標）ペアリングを確立する段階と、Ｂｌｕｅｔｏｏｔｈ（登録商標）ヘッドセットにより、Ｂｌｕｅｔｏｏｔｈ（登録商標）を用いてＢｌｕｅｔｏｏｔｈ（登録商標）ヘッドセットの識別子情報をウェアラブルデバイスに送信する段階とを更に備え、Ｂｌｕｅｔｏｏｔｈ（登録商標）ヘッドセットの識別子情報は、Ｂｌｕｅｔｏｏｔｈ（登録商標）ヘッドセットのアドレス情報を含む。
【００１３】
別の可能な実装方式における第２の態様および上述の可能な実装方式を参照すると、Ｂｌｕｅｔｏｏｔｈ（登録商標）ペアリング要求は、Ｂｌｕｅｔｏｏｔｈ（登録商標）ヘッドセットの識別子情報に応じて通信デバイスにより送信され、Ｂｌｕｅｔｏｏｔｈ（登録商標）ヘッドセットの識別子情報は、ウェアラブルデバイスに予め格納され、Ｂｌｕｅｔｏｏｔｈ（登録商標）ヘッドセットの識別子情報は、Ｂｌｕｅｔｏｏｔｈ（登録商標）ヘッドセットのアドレス情報を含む。
【００１４】
別の可能な実装方式における第２の態様および上述の可能な実装方式を参照すると、Ｂｌｕｅｔｏｏｔｈ（登録商標）ヘッドセットにより、Ｂｌｕｅｔｏｏｔｈ（登録商標）を用いてボイスメッセージを通信デバイスに送信する段階の前に、方法は、Ｂｌｕｅｔｏｏｔｈ（登録商標）ヘッドセットにより、Ｂｌｕｅｔｏｏｔｈ（登録商標）ヘッドセットが着用状態にあるか否かを検出する段階と、Ｂｌｕｅｔｏｏｔｈ（登録商標）ヘッドセットが着用状態にある場合、Ｂｌｕｅｔｏｏｔｈ（登録商標）ヘッドセットにより、Ｂｌｕｅｔｏｏｔｈ（登録商標）を用いてボイスメッセージを通信デバイスに送信する段階とを更に備える。
【００１５】
本発明の複数の実施形態の第３の態様は、Ｂｌｕｅｔｏｏｔｈ（登録商標）通信方法を提供し、Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にあり、Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）ヘッドセットは、Ｂｌｕｅｔｏｏｔｈ（登録商標）機能を有効にし、方法は、通信デバイスにより第１の通知をウェアラブルデバイスから受信する段階と、Ｂｌｕｅｔｏｏｔｈ（登録商標）ヘッドセットの識別子情報に応じて、通信デバイスによりＢｌｕｅｔｏｏｔｈ（登録商標）ペアリング要求をＢｌｕｅｔｏｏｔｈ（登録商標）ヘッドセットに送信する段階と、通信デバイスにより、Ｂｌｕｅｔｏｏｔｈ（登録商標）を用いてボイスメッセージをＢｌｕｅｔｏｏｔｈ（登録商標）ヘッドセットに送信する段階とを備え、第１の通知は、Ｂｌｕｅｔｏｏｔｈ（登録商標）ヘッドセットとのＢｌｕｅｔｏｏｔｈ（登録商標）ペアリングを確立するように通信デバイスに命令するべく用いられ、Ｂｌｕｅｔｏｏｔｈ（登録商標）ペアリング要求は、通信デバイスとのＢｌｕｅｔｏｏｔｈ（登録商標）ペアリングを確立するように要求するべく用いられ、Ｂｌｕｅｔｏｏｔｈ（登録商標）ヘッドセットの識別子情報は、第１の通知で保持され、またはＢｌｕｅｔｏｏｔｈ（登録商標）ヘッドセットの識別子情報は、通信デバイスに予め格納される。
【００１６】
本発明の複数の実施形態の第４の態様は、ウェアラブルデバイスを提供し、Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にあり、Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）ヘッドセットは、Ｂｌｕｅｔｏｏｔｈ（登録商標）機能を有効にし、ウェアラブルデバイスは、プロセッサおよび通信モジュールを備え、プロセッサは、Ｂｌｕｅｔｏｏｔｈ（登録商標）ヘッドセットがウェアラブルデバイスから取り外されたか否かを検出するように構成され、通信モジュールは、Ｂｌｕｅｔｏｏｔｈ（登録商標）ヘッドセットがウェアラブルデバイスから取り外されたことをプロセッサが検出すると、第１の通知を通信デバイスに送信するように構成され、第１の通知は、Ｂｌｕｅｔｏｏｔｈ（登録商標）を用いてボイスメッセージをＢｌｕｅｔｏｏｔｈ（登録商標）ヘッドセットに送信するように通信デバイスに命令するべく用いられる。
【００１７】
可能な実装方式における第４の態様を参照すると、プロセッサは、Ｂｌｕｅｔｏｏｔｈ（登録商標）ヘッドセットがウェアラブルデバイスから取り外されたことを検出した後、Ｂｌｕｅｔｏｏｔｈ（登録商標）ヘッドセットとのＢｌｕｅｔｏｏｔｈ（登録商標）ペアリングを確立して、Ｂｌｕｅｔｏｏｔｈ（登録商標）ヘッドセットの識別子情報を取得するように更に構成され、ウェアラブルデバイスは、ストレージを更に備え、プロセッサは、Ｂｌｕｅｔｏｏｔｈ（登録商標）ヘッドセットの識別子情報をストレージに保存するように更に構成され、ストレージは、プロセッサにより取得されたＢｌｕｅｔｏｏｔｈ（登録商標）ヘッドセットの識別子情報を保存するように構成され、Ｂｌｕｅｔｏｏｔｈ（登録商標）ヘッドセットの識別子情報は、Ｂｌｕｅｔｏｏｔｈ（登録商標）ヘッドセットのアドレス情報を含む。
【００１８】
別の可能な実装方式における第４の態様および上述の可能な実装方式を参照すると、通信モジュールにより送信される第１の通知は、Ｂｌｕｅｔｏｏｔｈ（登録商標）ヘッドセットの識別子情報を保持し、通信モジュールにより送信される第１の通知は、Ｂｌｕｅｔｏｏｔｈ（登録商標）を用いてＢｌｕｅｔｏｏｔｈ（登録商標）ヘッドセットの識別子情報により示されるＢｌｕｅｔｏｏｔｈ（登録商標）ヘッドセットにボイスメッセージを送信するように通信デバイスに命令するべく用いられる。
【００１９】
本発明の複数の実施形態の第５の態様は、Ｂｌｕｅｔｏｏｔｈ（登録商標）ヘッドセットを提供し、Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にあり、Ｂｌｕｅｔｏｏｔｈ（登録商標）ヘッドセットは、プロセッサおよび通信モジュールを備え、プロセッサは、Ｂｌｕｅｔｏｏｔｈ（登録商標）ヘッドセットがウェアラブルデバイスから取り外されたか否かを検出し、Ｂｌｕｅｔｏｏｔｈ（登録商標）ヘッドセットがウェアラブルデバイスから取り外されたことが検出されると、Ｂｌｕｅｔｏｏｔｈ（登録商標）機能を有効にするように構成され、通信モジュールは、Ｂｌｕｅｔｏｏｔｈ（登録商標）ペアリング要求を通信デバイスから受信するように構成され、プロセッサは、通信モジュールにより受信されたＢｌｕｅｔｏｏｔｈ（登録商標）ペアリング要求に応じて通信デバイスとのＢｌｕｅｔｏｏｔｈ（登録商標）ペアリングを確立するように更に構成され、通信モジュールは、プロセッサが通信デバイスとのＢｌｕｅｔｏｏｔｈ（登録商標）ペアリングを確立した後、Ｂｌｕｅｔｏｏｔｈ（登録商標）を用いてボイスメッセージを通信デバイスに送信するように更に構成される。
【００２０】
可能な実装方式における第５の態様を参照すると、通信モジュールにより受信されるＢｌｕｅｔｏｏｔｈ（登録商標）ペアリング要求は、Ｂｌｕｅｔｏｏｔｈ（登録商標）ヘッドセットの識別子情報に応じて通信デバイスにより送信され、プロセッサは、通信モジュールがＢｌｕｅｔｏｏｔｈ（登録商標）ペアリング要求を通信デバイスから受信する前に、ウェアラブルデバイスとのＢｌｕｅｔｏｏｔｈ（登録商標）ペアリングを確立するように更に構成され、通信モジュールは、Ｂｌｕｅｔｏｏｔｈ（登録商標）を用いてＢｌｕｅｔｏｏｔｈ（登録商標）ヘッドセットの識別子情報をウェアラブルデバイスに送信するように更に構成され、Ｂｌｕｅｔｏｏｔｈ（登録商標）ヘッドセットの識別子情報は、Ｂｌｕｅｔｏｏｔｈ（登録商標）ヘッドセットのアドレス情報を含み、Ｂｌｕｅｔｏｏｔｈ（登録商標）ヘッドセットの識別子情報は、ウェアラブルデバイスとのＢｌｕｅｔｏｏｔｈ（登録商標）ペアリングを確立することにより、プロセッサによって取得される。
【００２１】
別の可能な実装方式における第５の態様および上述の可能な実装方式を参照すると、通信モジュールにより受信されるＢｌｕｅｔｏｏｔｈ（登録商標）ペアリング要求は、Ｂｌｕｅｔｏｏｔｈ（登録商標）ヘッドセットの識別子情報に応じて通信デバイスにより送信され、Ｂｌｕｅｔｏｏｔｈ（登録商標）ヘッドセットの識別子情報は、ウェアラブルデバイスに予め格納され、Ｂｌｕｅｔｏｏｔｈ（登録商標）ヘッドセットの識別子情報は、Ｂｌｕｅｔｏｏｔｈ（登録商標）ヘッドセットのアドレス情報を含む。
【００２２】
別の可能な実装方式における第５の態様および上述の可能な実装方式を参照すると、プロセッサは、Ｂｌｕｅｔｏｏｔｈ（登録商標）を用いてボイスメッセージが通信デバイスに送信される前に、Ｂｌｕｅｔｏｏｔｈ（登録商標）ヘッドセットが着用状態にあるか否かを検出するように更に構成され、通信モジュールは、Ｂｌｕｅｔｏｏｔｈ（登録商標）ヘッドセットが着用状態にあることをプロセッサが検出すると、Ｂｌｕｅｔｏｏｔｈ（登録商標）を用いてボイスメッセージを通信デバイスに送信するように更に構成される。
【００２３】
本発明の複数の実施形態の第６の態様は、通信デバイスを提供し、Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にあり、Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）ヘッドセットは、Ｂｌｕｅｔｏｏｔｈ（登録商標）機能を有効にし、通信デバイスは、通信モジュールおよびプロセッサを備え、通信モジュールは、第１の通知をウェアラブルデバイスから受信するように構成され、第１の通知は、Ｂｌｕｅｔｏｏｔｈ（登録商標）ヘッドセットとのＢｌｕｅｔｏｏｔｈ（登録商標）ペアリングを確立するように通信デバイスに命令するべく用いられ、プロセッサは、Ｂｌｕｅｔｏｏｔｈ（登録商標）ヘッドセットの識別子情報に応じて、Ｂｌｕｅｔｏｏｔｈ（登録商標）ペアリング要求をＢｌｕｅｔｏｏｔｈ（登録商標）ヘッドセットに送信するように通信モジュールを制御するように構成され、Ｂｌｕｅｔｏｏｔｈ（登録商標）ペアリング要求は、通信デバイスとのＢｌｕｅｔｏｏｔｈ（登録商標）ペアリングを確立するように要求するべく用いられ、Ｂｌｕｅｔｏｏｔｈ（登録商標）ヘッドセットの識別子情報は、通信モジュールにより受信される第１の通知で保持され、またはＢｌｕｅｔｏｏｔｈ（登録商標）ヘッドセットの識別子情報は、通信デバイスに予め格納され、Ｂｌｕｅｔｏｏｔｈ（登録商標）を用いてボイスメッセージをＢｌｕｅｔｏｏｔｈ（登録商標）ヘッドセットに送信するように通信モジュールを制御する。
【００２４】
本発明の複数の実施形態において提供されるＢｌｕｅｔｏｏｔｈ（登録商標）通信方法およびデバイスによれば、Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にある。Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）ヘッドセットは、Ｂｌｕｅｔｏｏｔｈ（登録商標）機能を有効にする。ウェアラブルデバイスは、Ｂｌｕｅｔｏｏｔｈ（登録商標）ヘッドセットがウェアラブルデバイスから取り外されたか否かを検出し、Ｂｌｕｅｔｏｏｔｈ（登録商標）ヘッドセットがウェアラブルデバイスから取り外されたことをウェアラブルデバイスが検出すると、第１の通知を通信デバイスに送信し、第１の通知は、Ｂｌｕｅｔｏｏｔｈ（登録商標）を用いてボイスメッセージをＢｌｕｅｔｏｏｔｈ（登録商標）ヘッドセットに送信するように通信デバイスに命令するべく用いられる。
【００２５】
本解決法においては、Ｂｌｕｅｔｏｏｔｈ（登録商標）ヘッドセット、ウェアラブルデバイス、および通信デバイス間のデータ交換を用いて、Ｂｌｕｅｔｏｏｔｈ（登録商標）ヘッドセットと通信デバイスとの間のボイスメッセージの送信が実装され得る。更に、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にとどまるように設定され得る。Ｂｌｕｅｔｏｏｔｈ（登録商標）機能は、Ｂｌｕｅｔｏｏｔｈ（登録商標）ヘッドセットがウェアラブルデバイスから取り外された後にのみ（すなわち、ユーザがＢｌｕｅｔｏｏｔｈ（登録商標）ヘッドセットをウェアラブルデバイスから取り外し、Ｂｌｕｅｔｏｏｔｈ（登録商標）ヘッドセットがおそらくは用いられる場合）有効にされ、これにより、Ｂｌｕｅｔｏｏｔｈ（登録商標）ヘッドセットのＢｌｕｅｔｏｏｔｈ（登録商標）機能は、長時間有効状態にあるので、Ｂｌｕｅｔｏｏｔｈ（登録商標）ヘッドセットの電力消費量が相対的に高いという問題を回避し、Ｂｌｕｅｔｏｏｔｈ（登録商標）ヘッドセットの電力消費量を低減し得る。
【図面の簡単な説明】
【００２６】
本発明の複数の実施形態または従来技術における複数の技術的解決法をより分かりやすく説明するべく、以下において、複数の実施形態または従来技術を説明するのに必要とされる添付の図面を簡潔に説明する。以下の説明における添付の図面は、本発明のいくつかの実施形態を示すに過ぎず、当業者は、創造的努力をすることなくこれらの添付の図面から他の図面をなおも導き出し得ることが明らかである。
【図１】本発明の実施形態１によるＢｌｕｅｔｏｏｔｈ（登録商標）通信方法の方法フロー図である。
【図２】本発明の実施形態２によるＢｌｕｅｔｏｏｔｈ（登録商標）通信方法の方法フロー図である。
【図３】本発明の実施形態３によるＢｌｕｅｔｏｏｔｈ（登録商標）通信方法の方法フロー図である。
【図４】本発明の実施形態４によるＢｌｕｅｔｏｏｔｈ（登録商標）通信方法の方法フロー図である。
【図５】本発明の実施形態５によるＢｌｕｅｔｏｏｔｈ（登録商標）通信方法の方法フロー図である。
【図６】本発明の実施形態６によるウェアラブルデバイスの構造図である。
【図７】本発明の実施形態６による別のウェアラブルデバイスの構造図である。
【図８】本発明の実施形態７によるＢｌｕｅｔｏｏｔｈ（登録商標）ヘッドセットの構造図である。
【図９】本発明の実施形態７による別のＢｌｕｅｔｏｏｔｈ（登録商標）ヘッドセットの構造図である。
【図１０】本発明の実施形態８による通信デバイスの構造図である。
【図１１】本発明の実施形態８による別の通信デバイスの構造図である。
【発明を実施するための形態】
【００２７】
以下において、本発明の複数の実施形態における添付の図面を参照して、本発明の複数の実施形態における技術的解決法を分かりやすく完全に説明する。説明される実施形態は、本発明の複数の実施形態の全てではなく、そのいくつかに過ぎないことは明らかである。創造的努力をすることなく本発明の複数の実施形態に基づいて当業者により得られた他の全ての実施形態が、本発明の保護範囲に包含されるものである。
【００２８】
更に、「システム」および「ネットワーク」という用語は、本明細書において相互に交換可能に用いられ得る。本明細書における「および／または」という用語は、関連する複数の物体を説明するための関連関係のみを説明し、３つの関係が存在し得ることを表す。例えば、Ａおよび／またはＢは、Ａのみが存在すること、ＡおよびＢの両方が存在すること、およびＢのみが存在することの３つの場合を表し得る。更に、本明細書における「／」という文字は概して、関連する複数の物体間での「または」の関係を示す。
【００２９】
［実施形態１］
本発明の本実施形態において、Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にある。Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）ヘッドセットは、Ｂｌｕｅｔｏｏｔｈ（登録商標）ヘッドセットのＢｌｕｅｔｏｏｔｈ（登録商標）機能を有効にする。
【００３０】
本発明の本実施形態は、ウェアラブルデバイスに適用可能なＢｌｕｅｔｏｏｔｈ（登録商標）通信方法を提供する。図１に示されるように、Ｂｌｕｅｔｏｏｔｈ（登録商標）通信方法は、以下の段階を備える。
【００３１】
Ｓ１０１。Ｂｌｕｅｔｏｏｔｈ（登録商標）ヘッドセットがウェアラブルデバイスから取り外されたか否かをウェアラブルデバイスが検出する。
【００３２】
ウェアラブルデバイスは、ユーザが着用するのに好都合であり、Ｂｌｕｅｔｏｏｔｈ（登録商標）ヘッドセットが取り付けられ得るＢｌｕｅｔｏｏｔｈ（登録商標）デバイスである。勿論、ウェアラブルデバイスは、他の複数の機能を更に有し得るが、これらは、本発明の本実施形態において逐一列挙されない。
【００３３】
例示的に、本発明の本実施形態におけるウェアラブルデバイスは、Ｂｌｕｅｔｏｏｔｈ（登録商標）ウォッチ、Ｂｌｕｅｔｏｏｔｈ（登録商標）リストバンド、またはＢｌｕｅｔｏｏｔｈ（登録商標）ヘッドバンド等のＢｌｕｅｔｏｏｔｈ（登録商標）機能を有する複数の電子デバイスのうちのいずれか１つであり得る。
【００３４】
本発明の本実施形態におけるＢｌｕｅｔｏｏｔｈ（登録商標）ヘッドセットは、物理的接続を用いてウェアラブルデバイス上に取り付けられてもよく、またはＢｌｕｅｔｏｏｔｈ（登録商標）ヘッドセットは、磁気引力を用いてウェアラブルデバイス上に取り付けられてもよいことに留意されたい。Ｂｌｕｅｔｏｏｔｈ（登録商標）ヘッドセットとウェアラブルデバイスとの間に取り付ける方式は、本発明の本実施形態において限定されない。
【００３５】
具体的には、ウェアラブルデバイスは、着信通話メッセージを通信デバイスから受信した後に、Ｂｌｕｅｔｏｏｔｈ（登録商標）ヘッドセットがウェアラブルデバイスから取り外されたか否かを検出し得る。着信通話メッセージは、通信デバイスがウェアラブルデバイスとのＢｌｕｅｔｏｏｔｈ（登録商標）ペアリングを首尾よく確立し、通信デバイスが別の通信デバイスにより開始された通信要求を受信した後に、Ｂｌｕｅｔｏｏｔｈ（登録商標）を用いて通信デバイスによりウェアラブルデバイスに送信される指標メッセージであり得る。
【００３６】
例示的に、本発明の本実施形態における通信デバイスは、携帯電話またはタブレットコンピュータ等のＢｌｕｅｔｏｏｔｈ（登録商標）機能を有する通信端末であってもよい。
【００３７】
ウェアラブルデバイスは、リアルタイムでＢｌｕｅｔｏｏｔｈ（登録商標）ヘッドセットがウェアラブルデバイスから取り外されたか否かを検出し得、またはウェアラブルデバイスは、Ｂｌｕｅｔｏｏｔｈ（登録商標）ヘッドセットがウェアラブルデバイスから取り外されたか否かを周期的に検出し得る。具体的には、Ｂｌｕｅｔｏｏｔｈ（登録商標）ヘッドセットがウェアラブルデバイスから取り外されたか否かを検出するべく、ウェアラブルデバイスは、近接センサ、光センサ、もしくは静電容量センサを用い、または複数のセンサを同時に用いてもよい。
【００３８】
例示的に、光センサは、ウェアラブルデバイスとＢｌｕｅｔｏｏｔｈ（登録商標）ヘッドセットとの間の接続面に取り付けられてもよく、光センサは、リアルタイムで光センサの位置における光強度をモニタリングしてもよい。Ｂｌｕｅｔｏｏｔｈ（登録商標）ヘッドセットがウェアラブルデバイスから取り外されない場合、Ｂｌｕｅｔｏｏｔｈ（登録商標）ヘッドセットが光を遮断するので、光センサによりモニタリングされ得る光強度は相対的に弱く、Ｂｌｕｅｔｏｏｔｈ（登録商標）ヘッドセットがウェアラブルデバイスから取り外された後には、Ｂｌｕｅｔｏｏｔｈ（登録商標）ヘッドセットが光を最早遮断しないので、光センサによりモニタリングされ得る光強度は、強くなる。光センサは、光強度の変化に応じて異なるレベルを生成し得る。ウェアラブルデバイスにおけるデータ処理チップは、レベルの変化を取得して、リアルタイムで取得されたレベル値により表される光強度を事前設定された強度閾値と比較し、Ｂｌｕｅｔｏｏｔｈ（登録商標）ヘッドセットがウェアラブルデバイスから取り外されたか否かを判断し得る。例えば、リアルタイムで取得されたレベル値によりにより表される光強度が事前設定された強度閾値より高い場合、ウェアラブルデバイスは、Ｂｌｕｅｔｏｏｔｈ（登録商標）ヘッドセットがウェアラブルデバイスから取り外されたと判断し得る。またはリアルタイムで取得されたレベル値により表される光強度が事前設定された強度閾値より低い場合、ウェアラブルデバイスは、Ｂｌｕｅｔｏｏｔｈ（登録商標）ヘッドセットがウェアラブルデバイスから取り外されていないと判断し得る。
【００３９】
ウェアラブルデバイスによりＢｌｕｅｔｏｏｔｈ（登録商標）ヘッドセットがウェアラブルデバイスから取り外されたか否かを検出するための方法は、上記の方法を含むが、これに限定されないことに留意されたい。物理的ボタンがウェアラブルデバイスとＢｌｕｅｔｏｏｔｈ（登録商標）ヘッドセットとの間の接続部に配置されてもよく、Ｂｌｕｅｔｏｏｔｈ（登録商標）ヘッドセットがウェアラブルデバイスから取り外されるときに、物理的ボタンは解放される。ウェアラブルデバイスは、リアルタイムで物理的ボタンの状態変化を検出することにより、Ｂｌｕｅｔｏｏｔｈ（登録商標）ヘッドセットがウェアラブルデバイスから取り外されたか否かを判断し得る。ウェアラブルデバイスによりＢｌｕｅｔｏｏｔｈ（登録商標）ヘッドセットがウェアラブルデバイスから取り外されたか否かを検出するための別の方法は、本明細書において、本発明の本実施形態では詳細に説明されない。
【００４０】
Ｓ１０２。Ｂｌｕｅｔｏｏｔｈ（登録商標）ヘッドセットがウェアラブルデバイスから取り外されたことをウェアラブルデバイスが検出すると、ウェアラブルデバイスは、第１の通知を通信デバイスに送信し、第１の通知は、Ｂｌｕｅｔｏｏｔｈ（登録商標）を用いてボイスメッセージをＢｌｕｅｔｏｏｔｈ（登録商標）ヘッドセットに送信するように通信デバイスに命令するべく用いられる。
【００４１】
例示的に、本発明の本実施形態における音声通信リンクは、同期接続指向（ＳＣＯ）リンクを含み得る。ＳＣＯリンクは、Ｂｌｕｅｔｏｏｔｈ（登録商標）物理リンクであり、主に時間についての非常に高度な要求を有するデータ通信を送信し、例えば、同期通話転送を実行するべく用いられる。
【００４２】
更に、本発明の本実施形態における方法は、Ｂｌｕｅｔｏｏｔｈ（登録商標）ヘッドセットがウェアラブルデバイスから取り外されたことをウェアラブルデバイスが検出した後、ウェアラブルデバイスによりＢｌｕｅｔｏｏｔｈ（登録商標）ヘッドセットとのＢｌｕｅｔｏｏｔｈ（登録商標）ペアリングを確立する段階と、ウェアラブルデバイスによりＢｌｕｅｔｏｏｔｈ（登録商標）ヘッドセットの識別子情報を取得して保存する段階を更に備え得る。Ｂｌｕｅｔｏｏｔｈ（登録商標）ヘッドセットの識別子情報は、Ｂｌｕｅｔｏｏｔｈ（登録商標）ヘッドセットのアドレス情報を含む。
【００４３】
本発明の本実施形態において、Ｂｌｕｅｔｏｏｔｈ（登録商標）ヘッドセットのアドレスは、Ｂｌｕｅｔｏｏｔｈ（登録商標）デバイスアドレス（ＢＤＡ）であり、これは多数のＢｌｕｅｔｏｏｔｈ（登録商標）ヘッドセットを区別し得ることに留意されたい。ＢＤＡは４８ビットのアドレスであり、全てのＢｌｕｅｔｏｏｔｈ（登録商標）デバイスの各々は、固有の４８ビットのＢＤＡを有する。
【００４４】
具体的には、ＢＤＡは、３つの部分、すなわち２４ビットの低位アドレス部分（Ｌｏｗｅｒ  Ａｄｄｒｅｓｓ  Ｐａｒｔ、ＬＡＰ）、８ビットの上位アドレス部分（Ｕｐｐｅｒ  Ａｄｄｒｅｓｓ  Ｐａｒｔ、ＵＡＰ）、および１６ビットの非有意アドレス部分（Ｎｏｎ−ｓｉｇｎｉｆｉｃａｎｔ  Ａｄｄｒｅｓｓ  Ｐａｒｔ、ＮＡＰ）に分割され得る。Ｂｌｕｅｔｏｏｔｈ（登録商標）デバイスのアドレス指定空間は、８ビットのＵＡＰおよび２４ビットのＬＡＰを組み合わせることにより形成され、１６ビットのＮＡＰおよび８ビットのＵＡＰを組み合わせることにより形成される２４ビットのアドレスは、Ｂｌｕｅｔｏｏｔｈ（登録商標）デバイスベンダ用の固有の識別コードとして用いられ得、２４ビットのアドレスは、Ｂｌｕｅｔｏｏｔｈ（登録商標）機関により異なるＢｌｕｅｔｏｏｔｈ（登録商標）デバイスベンダに割り当てられる。
【００４５】
勿論、本発明の本実施形態におけるＢｌｕｅｔｏｏｔｈ（登録商標）ヘッドセットの識別子情報は、Ｂｌｕｅｔｏｏｔｈ（登録商標）ヘッドセットの名前、Ｂｌｕｅｔｏｏｔｈ（登録商標）ヘッドセットのＢｌｕｅｔｏｏｔｈ（登録商標）クロック（Ｂｌｕｅｔｏｏｔｈ  Ｃｌｏｃｋ）等を更に含み得る。Ｂｌｕｅｔｏｏｔｈ（登録商標）ヘッドセットの識別子情報に関する具体的な内容は、本発明の本実施形態において限定されない。Ｂｌｕｅｔｏｏｔｈ（登録商標）クロックは、Ｂｌｕｅｔｏｏｔｈ（登録商標）デバイスの内部システムクロックであり得、各Ｂｌｕｅｔｏｏｔｈ（登録商標）デバイスは、Ｂｌｕｅｔｏｏｔｈ（登録商標）デバイスにおけるトランシーバの時間シーケンスおよび周波数ホッピングを判断するための内部システムクロックを有する。
【００４６】
本発明の本実施形態における使用シナリオにおいて、第１の通知は、Ｂｌｕｅｔｏｏｔｈ（登録商標）ヘッドセットの識別子情報を保持することに留意されたい。この使用シナリオにおいて、第１の通知を受信した後、通信デバイスは、Ｂｌｕｅｔｏｏｔｈ（登録商標）を用いて、第１の通知において保持されたＢｌｕｅｔｏｏｔｈ（登録商標）ヘッドセットの識別子情報に対応するＢｌｕｅｔｏｏｔｈ（登録商標）ヘッドセットにボイスメッセージを送信し得る。
【００４７】
本発明の本実施形態における別の使用シナリオでは、Ｂｌｕｅｔｏｏｔｈ（登録商標）ヘッドセットの識別子情報は、通信デバイスに予め格納される。この使用シナリオにおいて、第１の通知を受信した後、通信デバイスは、Ｂｌｕｅｔｏｏｔｈ（登録商標）を用いて、通信デバイスに予め格納されたＢｌｕｅｔｏｏｔｈ（登録商標）ヘッドセットの識別子情報に対応するＢｌｕｅｔｏｏｔｈ（登録商標）ヘッドセットにボイスメッセージを送信し得る。
【００４８】
本発明の本実施形態において提供されるＢｌｕｅｔｏｏｔｈ（登録商標）通信方法によれば、ウェアラブルデバイスは、Ｂｌｕｅｔｏｏｔｈ（登録商標）を用いてＢｌｕｅｔｏｏｔｈ（登録商標）ヘッドセットにボイスメッセージを送信するように通信デバイスに命令するべく、Ｂｌｕｅｔｏｏｔｈ（登録商標）ヘッドセットがウェアラブルデバイスから取り外されたことを検出した後に、通信デバイスに第１の通知を送信し得る。Ｂｌｕｅｔｏｏｔｈ（登録商標）ヘッドセット、ウェアラブルデバイス、および通信デバイス間のデータ交換を用いて、Ｂｌｕｅｔｏｏｔｈ（登録商標）ヘッドセットと通信デバイスとの間のボイスメッセージの送信が実装され得る。更に、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にとどまるように設定され得る。Ｂｌｕｅｔｏｏｔｈ（登録商標）機能は、Ｂｌｕｅｔｏｏｔｈ（登録商標）ヘッドセットがウェアラブルデバイスから取り外された後にのみ（すなわち、ユーザがＢｌｕｅｔｏｏｔｈ（登録商標）ヘッドセットをウェアラブルデバイスから取り外し、Ｂｌｕｅｔｏｏｔｈ（登録商標）ヘッドセットがおそらくは用いられる場合）有効にされ、これにより、Ｂｌｕｅｔｏｏｔｈ（登録商標）ヘッドセットのＢｌｕｅｔｏｏｔｈ（登録商標）機能は、長時間有効状態にあるので、Ｂｌｕｅｔｏｏｔｈ（登録商標）ヘッドセットの電力消費量が相対的に高いという問題を回避し、Ｂｌｕｅｔｏｏｔｈ（登録商標）ヘッドセットの電力消費量を低減し得る。
【００４９】
［実施形態２］
本発明の本実施形態におけるＢｌｕｅｔｏｏｔｈ（登録商標）ヘッドセットは、ウェアラブルデバイス上に取り付けられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にある。
【００５０】
本発明の本実施形態は、Ｂｌｕｅｔｏｏｔｈ（登録商標）ヘッドセットに適用可能なＢｌｕｅｔｏｏｔｈ（登録商標）通信方法を提供する。図２に示されるように、Ｂｌｕｅｔｏｏｔｈ（登録商標）通信方法は、以下の段階を備える。
【００５１】
Ｓ２０１。Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）機能を有効にする。
【００５２】
Ｂｌｕｅｔｏｏｔｈ（登録商標）ヘッドセットによりＢｌｕｅｔｏｏｔｈ（登録商標）ヘッドセットがウェアラブルデバイスから取り外されたか否かを検出するための具体的な方法については、本発明の他の方法の複数の実施形態における関連する説明を参照することができ、本明細書の本実施形態において詳細には再度説明されないことに留意されたい。
【００５３】
Ｓ２０２。Ｂｌｕｅｔｏｏｔｈ（登録商標）ヘッドセットは、通信デバイスからＢｌｕｅｔｏｏｔｈ（登録商標）ペアリング要求を受信する。
【００５４】
本発明の本実施形態において、第１の通知をウェアラブルデバイスから受信した後、通信デバイスは、Ｂｌｕｅｔｏｏｔｈ（登録商標）ヘッドセットの識別子情報に応じてＢｌｕｅｔｏｏｔｈ（登録商標）ペアリング要求をＢｌｕｅｔｏｏｔｈ（登録商標）ヘッドセットに送信する。Ｂｌｕｅｔｏｏｔｈ（登録商標）ヘッドセットの識別子情報は、第１の通知において保持される。またはＢｌｕｅｔｏｏｔｈ（登録商標）ヘッドセットの識別子情報は、通信デバイスに予め格納される。
【００５５】
第１の通知において保持されるＢｌｕｅｔｏｏｔｈ（登録商標）ヘッドセットの識別子情報は、Ｂｌｕｅｔｏｏｔｈ（登録商標）ヘッドセットがウェアラブルデバイスとのＢｌｕｅｔｏｏｔｈ（登録商標）ペアリングを確立した後に、Ｂｌｕｅｔｏｏｔｈ（登録商標）を用いてＢｌｕｅｔｏｏｔｈ（登録商標）ヘッドセットによりウェアラブルデバイスに送信される識別子情報であり得る。または、第１の通知において保持されるＢｌｕｅｔｏｏｔｈ（登録商標）ヘッドセットの識別子情報は、ウェアラブルデバイスに予め格納された識別子情報であり得る。
【００５６】
Ｓ２０３。Ｂｌｕｅｔｏｏｔｈ（登録商標）ヘッドセットは、Ｂｌｕｅｔｏｏｔｈ（登録商標）ペアリング要求に応じて通信デバイスとのＢｌｕｅｔｏｏｔｈ（登録商標）ペアリングを確立する。
【００５７】
例示的に、Ｂｌｕｅｔｏｏｔｈ（登録商標）ヘッドセットと通信デバイスとの間のＢｌｕｅｔｏｏｔｈ（登録商標）ペアリング方式としては、レガシＢｌｕｅｔｏｏｔｈ（登録商標）ディスカバリ・ペアリング方式、または近距離無線通信（Ｎｅａｒ  Ｆｉｅｌｄ  Ｃｏｍｍｕｎｉｃａｔｉｏｎ、ＮＦＣ）とＢｌｕｅｔｏｏｔｈ（登録商標）のペアリング方式が挙げられるが、これらに限定されない。
【００５８】
レガシＢｌｕｅｔｏｏｔｈ（登録商標）ディスカバリ・ペアリング方式の具体的な処理は、次のようになり得る。すなわち、マスタデバイスがスレーブデバイスを検出する。マスタデバイスは、ペアリングされるべきスレーブデバイスを選択する。マスタデバイスは、ペアリングされるべき選択スレーブデバイスにＢｌｕｅｔｏｏｔｈ（登録商標）ペアリング要求を送信する。スレーブデバイスは、マスタデバイスのＢｌｕｅｔｏｏｔｈ（登録商標）ペアリング要求を承諾する。マスタデバイスおよびスレーブデバイスは、ペアリング認証を実行する。マスタデバイスは、スレーブデバイスと首尾よくペアリングされる。
【００５９】
ＮＦＣは、短距離高周波数無線通信技術であり、複数の電子デバイス間（１０センチメートル内）の非接触式ポイントツーポイントデータ送信を可能にする。ＮＦＣ  Ｂｌｕｅｔｏｏｔｈ（登録商標）ペアリング方式は、具体的にはＮＦＣ技術およびＢｌｕｅｔｏｏｔｈ（登録商標）技術の組み合わせであってもよく、Ｂｌｕｅｔｏｏｔｈ（登録商標）ペアリングを用いて接続を確立する処理を簡略化してその速度を改善することを目的とする。具体的なペアリング処理は、次のようになり得る。すなわち、（ＮＦＣ機能を有する）マスタデバイスは、（ＮＦＣ機能を有する）スレーブデバイスにアプローチすると、マスタデバイスおよびスレーブデバイスは、ＮＦＣプロトコルを用いることによりＢｌｕｅｔｏｏｔｈ（登録商標）ペアリングパラメータを交換する。
【００６０】
Ｓ２０４。Ｂｌｕｅｔｏｏｔｈ（登録商標）ヘッドセットは、Ｂｌｕｅｔｏｏｔｈ（登録商標）を用いてボイスメッセージを通信デバイスに送信する。
【００６１】
具体的には、Ｂｌｕｅｔｏｏｔｈ（登録商標）を用いてＢｌｕｅｔｏｏｔｈ（登録商標）ヘッドセットにより通信デバイスにボイスメッセージを送信するための方法は、Ｂｌｕｅｔｏｏｔｈ（登録商標）を用いて、Ｂｌｕｅｔｏｏｔｈ（登録商標）ヘッドセットによりＢｌｕｅｔｏｏｔｈ（登録商標）ヘッドセットと通信デバイスとの間に音声通信リンクを確立する段階と、音声通信リンクを用いることによりボイスメッセージを通信デバイスに送信する段階とを備え得る。
【００６２】
例示的に、Ｂｌｕｅｔｏｏｔｈ（登録商標）を用いて、Ｂｌｕｅｔｏｏｔｈ（登録商標）ヘッドセットによりＢｌｕｅｔｏｏｔｈ（登録商標）ヘッドセットと通信デバイスとの間に音声通信リンクを確立するための方法は、Ｂｌｕｅｔｏｏｔｈ（登録商標）を用いて、Ｂｌｕｅｔｏｏｔｈ（登録商標）ヘッドセットによりメッセージ聞き取りコマンドを通信デバイスに送信する段階と、Ｂｌｕｅｔｏｏｔｈ（登録商標）ヘッドセットによりメッセージ聞き取り応答を通信デバイスから受信する段階とを備え得、メッセージ聞き取りコマンドは、Ｂｌｕｅｔｏｏｔｈ（登録商標）ヘッドセットと通信デバイスとの間に音声通信リンクを確立するように要求するべく用いられ、メッセージ聞き取り応答は、音声通信リンクが既に確立されたことを示すべく用いられる。
【００６３】
更に任意選択で、ユーザがＢｌｕｅｔｏｏｔｈ（登録商標）ヘッドセットを用いることによりボイスメッセージを通信デバイスに送信するときの通信品質を保証するべく、Ｂｌｕｅｔｏｏｔｈ（登録商標）ヘッドセットは、Ｂｌｕｅｔｏｏｔｈ（登録商標）接続を用いて通信デバイスとデータを交換する前に、ユーザがＢｌｕｅｔｏｏｔｈ（登録商標）ヘッドセットを着用しているか否か（すなわち、Ｂｌｕｅｔｏｏｔｈ（登録商標）ヘッドセットが着用状態にあるか否か）を検出し、ユーザがＢｌｕｅｔｏｏｔｈ（登録商標）ヘッドセットを着用した後にのみ、音声通信リンクを確立し、音声通信リンクを用いることによりボイスメッセージを通信デバイスに送信し得る。
【００６４】
本発明の本実施形態において提供されるＢｌｕｅｔｏｏｔｈ（登録商標）通信方法によれば、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にとどまるように設定され得、Ｂｌｕｅｔｏｏｔｈ（登録商標）ヘッドセットは、Ｂｌｕｅｔｏｏｔｈ（登録商標）ヘッドセットがウェアラブルデバイスから取り外された後にのみ（すなわち、ユーザがＢｌｕｅｔｏｏｔｈ（登録商標）ヘッドセットをウェアラブルデバイスから取り外し、Ｂｌｕｅｔｏｏｔｈ（登録商標）ヘッドセットがおそらくは用いられる場合）Ｂｌｕｅｔｏｏｔｈ（登録商標）機能を有効にし、これによりＢｌｕｅｔｏｏｔｈ（登録商標）ヘッドセットの電力消費量が相対的に高いという問題を回避し得る。Ｂｌｕｅｔｏｏｔｈ（登録商標）ヘッドセットのＢｌｕｅｔｏｏｔｈ（登録商標）機能は、長時間有効状態にあり、Ｂｌｕｅｔｏｏｔｈ（登録商標）ヘッドセットの電力消費量を低減するからである。
【００６５】
［実施形態３］
本発明の本実施形態において、Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にある。Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）ヘッドセットは、Ｂｌｕｅｔｏｏｔｈ（登録商標）機能を有効にする。
【００６６】
本発明の本実施形態は、通信デバイスに適用可能なＢｌｕｅｔｏｏｔｈ（登録商標）通信方法を提供する。図３に示されるように、Ｂｌｕｅｔｏｏｔｈ（登録商標）通信方法は、以下の段階を備える。
【００６７】
Ｓ３０１。通信デバイスは、第１の通知をウェアラブルデバイスから受信し、第１の通知は、Ｂｌｕｅｔｏｏｔｈ（登録商標）ヘッドセットとのＢｌｕｅｔｏｏｔｈ（登録商標）ペアリングを確立するように通信デバイスに命令するべく、用いられる。
【００６８】
本発明の本実施形態における使用シナリオにおいて、第１の通知は、Ｂｌｕｅｔｏｏｔｈ（登録商標）ヘッドセットの識別子情報を保持する。Ｂｌｕｅｔｏｏｔｈ（登録商標）ヘッドセットの識別子情報に関する具体的な内容については、本発明の他の複数の実施形態における関連する説明を参照することができ、詳細は、本明細書における本実施形態では再度説明されない。
【００６９】
Ｂｌｕｅｔｏｏｔｈ（登録商標）ヘッドセットがウェアラブルデバイスから取り外されたことをウェアラブルデバイスが検出した後、第１の通知がウェアラブルデバイスにより通信デバイスに送信されることが理解され得る。
【００７０】
Ｓ３０２。通信デバイスは、Ｂｌｕｅｔｏｏｔｈ（登録商標）ヘッドセットの識別子情報に応じてＢｌｕｅｔｏｏｔｈ（登録商標）ペアリング要求をＢｌｕｅｔｏｏｔｈ（登録商標）ヘッドセットに送信し、Ｂｌｕｅｔｏｏｔｈ（登録商標）ペアリング要求は、通信デバイスとのＢｌｕｅｔｏｏｔｈ（登録商標）ペアリングを確立するように要求するべく用いられる。
【００７１】
本発明の本実施形態における別の使用シナリオでは、Ｂｌｕｅｔｏｏｔｈ（登録商標）ヘッドセットの識別子情報は、通信デバイスに予め格納される。
【００７２】
Ｂｌｕｅｔｏｏｔｈ（登録商標）ヘッドセットは、Ｂｌｕｅｔｏｏｔｈ（登録商標）ヘッドセットがウェアラブルデバイスから取り外されたことが検出された後にＢｌｕｅｔｏｏｔｈ（登録商標）機能を有効にし、ウェアラブルデバイスは、Ｂｌｕｅｔｏｏｔｈ（登録商標）ヘッドセットがウェアラブルデバイスから取り外されたことを検出した後に第１の通知を通信デバイスに送信するので、通信デバイスが第１の通知を受信した後、Ｂｌｕｅｔｏｏｔｈ（登録商標）ヘッドセットのＢｌｕｅｔｏｏｔｈ（登録商標）機能は、有効状態になり、通信デバイスは、Ｂｌｕｅｔｏｏｔｈ（登録商標）ヘッドセットの識別子情報に対応するＢｌｕｅｔｏｏｔｈ（登録商標）ヘッドセットにＢｌｕｅｔｏｏｔｈ（登録商標）ペアリング要求を送信し、Ｂｌｕｅｔｏｏｔｈ（登録商標）ヘッドセットとのＢｌｕｅｔｏｏｔｈ（登録商標）ペアリングを確立し、Ｂｌｕｅｔｏｏｔｈ（登録商標）を用いてＢｌｕｅｔｏｏｔｈ（登録商標）ヘッドセットにボイスメッセージを送信し得ることが理解され得る。
【００７３】
Ｓ３０３。通信デバイスは、Ｂｌｕｅｔｏｏｔｈ（登録商標）を用いてＢｌｕｅｔｏｏｔｈ（登録商標）ヘッドセットにボイスメッセージを送信する。
【００７４】
Ｂｌｕｅｔｏｏｔｈ（登録商標）を用いて通信デバイスによりＢｌｕｅｔｏｏｔｈ（登録商標）ヘッドセットにボイスメッセージを送信する段階は、Ｂｌｕｅｔｏｏｔｈ（登録商標）を用いて通信デバイスによりＢｌｕｅｔｏｏｔｈ（登録商標）ヘッドセットからボイスメッセージを受信する段階と、Ｂｌｕｅｔｏｏｔｈ（登録商標）を用いて通信デバイスによりＢｌｕｅｔｏｏｔｈ（登録商標）ヘッドセットにボイスメッセージを送信する段階とを有し得る。
【００７５】
本発明の本実施形態において提供されるＢｌｕｅｔｏｏｔｈ（登録商標）通信方法によれば、通信デバイスは、通信デバイスにより送信された第１の通知を受信した後、Ｂｌｕｅｔｏｏｔｈ（登録商標）を用いてＢｌｕｅｔｏｏｔｈ（登録商標）ヘッドセットにボイスメッセージを送信し得る。Ｂｌｕｅｔｏｏｔｈ（登録商標）ヘッドセット、ウェアラブルデバイス、および通信デバイス間のデータ交換を用いて、Ｂｌｕｅｔｏｏｔｈ（登録商標）ヘッドセットと通信デバイスとの間のボイスメッセージの送信が実装され得る。更に、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にとどまるように設定され得る。Ｂｌｕｅｔｏｏｔｈ（登録商標）機能は、Ｂｌｕｅｔｏｏｔｈ（登録商標）ヘッドセットがウェアラブルデバイスから取り外された後にのみ（すなわち、ユーザがＢｌｕｅｔｏｏｔｈ（登録商標）ヘッドセットをウェアラブルデバイスから取り外し、Ｂｌｕｅｔｏｏｔｈ（登録商標）ヘッドセットがおそらくは用いられる場合）有効にされ、これにより、Ｂｌｕｅｔｏｏｔｈ（登録商標）ヘッドセットのＢｌｕｅｔｏｏｔｈ（登録商標）機能は、長時間有効状態にあるので、Ｂｌｕｅｔｏｏｔｈ（登録商標）ヘッドセットの電力消費量が相対的に高いという問題を回避し、Ｂｌｕｅｔｏｏｔｈ（登録商標）ヘッドセットの電力消費量を低減し得る。
【００７６】
［実施形態４］
本発明の本実施形態において、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にある。
【００７７】
本発明の本実施形態は、図４に示されるように、以下の段階を備えるＢｌｕｅｔｏｏｔｈ（登録商標）通信方法を提供する。
【００７８】
Ｓ４０１。ウェアラブルデバイスは、通信デバイスとのＢｌｕｅｔｏｏｔｈ（登録商標）ペアリングを確立する。
【００７９】
ウェアラブルデバイスにより通信デバイスとのＢｌｕｅｔｏｏｔｈ（登録商標）ペアリングを確立するための具体的な方法については、Ｂｌｕｅｔｏｏｔｈ（登録商標）ヘッドセットにより通信デバイスとのＢｌｕｅｔｏｏｔｈ（登録商標）ペアリングを確立するための本発明の他の方法の複数の実施形態における方法を参照し、詳細は、本明細書における本実施形態においては再度説明されないことに留意されたい。
【００８０】
更に、ウェアラブルデバイスが通信デバイスとのＢｌｕｅｔｏｏｔｈ（登録商標）ペアリングを首尾よく確立した後、相互の機能情報が更に交換される必要があり、次にデータ交換は、相互の機能情報に基づいて実行される（交換されるデータは、ボイスメッセージを含み得る）。具体的な処理は、ウェアラブルデバイスにより読み取り機能要求を通信デバイスに送信する段階と、通信デバイスが読み取り機能要求を受信した後、通信デバイスにより通信デバイスの機能情報をウェアラブルデバイスに送信する段階と、ウェアラブルデバイスが通信デバイスの機能情報を受信した後、ウェアラブルデバイスによりウェアラブルデバイスの機能情報を通信デバイスに送信する段階と、通信デバイスがウェアラブルデバイスの機能情報を受信した後、通信デバイスにより受信確認情報をウェアラブルデバイスに返す段階と、通信デバイスとウェアラブルデバイスとの間でＢｌｕｅｔｏｏｔｈ（登録商標）接続の確立を完了する段階とを備え得る。
【００８１】
Ｓ４０２。着信通話メッセージを受信した後、通信デバイスは、新しいアラート通知をウェアラブルデバイスに送信する。
【００８２】
本発明の本実施形態において、通信デバイスにより受信される着信通話メッセージとしては、着信通話、カレンダーのリマインダー、警告、電子メール、ニュース、音声情報、ショートメッセージサービスのメッセージ、逃した通話のリマインダーメッセージのうちの１または複数が挙げられるが、これらに限定されない。
【００８３】
例示的に、通信デバイスは、異なる複数のタイプの着信通話メッセージを受信した後、異なる複数のタイプの新しいアラート通知をウェアラブルデバイスに送信し得る。各タイプの着信通話メッセージは、ある新しいアラート通知に対応し得、各々の新しいアラート通知は、ある通知方式に対応し、または各々の新しいアラート通知は、通知方式のある通知手段に対応し、新しいアラートのフルネームは、英語ではＮｅｗ  ａｌｅｒｔである。
【００８４】
例えば、着信通話メッセージが着信通話である場合、通信デバイスは、第１の新しいアラートをウェアラブルデバイスに送信し得、着信通話メッセージがショートメッセージサービスのメッセージである場合には、通信デバイスは、第２の新しいアラートをウェアラブルデバイスに送信し得、着信通話メッセージが電子メールである場合には、通信デバイスは、第３の新しいアラートをウェアラブルデバイスに送信し得る。第１の新しいアラート、第２の新しいアラート、および第３の新しいアラートは、別々の３つのタイプの異なるアラートメッセージであってもよい。
【００８５】
Ｓ４０３。ウェアラブルデバイスは、事前設定された通知方式でプロンプタメッセージを送信し、通信デバイスが着信通話メッセージを受信したことをユーザに表示する。
【００８６】
新しいアラート通知を通信デバイスから受信した後、ウェアラブルデバイスは、ユーザにより事前設定された通知方式（例えば、ベル方式、バイブレーション方式、音声アナウンス方式、ならびにベルおよびバイブレーションの両方の方式）でプロンプタメッセージを送信し、通信デバイスが着信通話メッセージを受信したことをユーザに表示し得る。
【００８７】
例示的に、本発明の本実施形態において、各タイプの着信通話メッセージは、ある新しいアラート通知に対応し得、各々の新しいアラート通知は、ある通知方式に対応する。
【００８８】
例えば、着信通話メッセージが着信通話である場合、通信デバイスは、第１の新しいアラートをウェアラブルデバイスに送信し得、ウェアラブルデバイスは、第１の通知方式（例えば、ベル方式）でプロンプタメッセージを送信し、通信デバイスが着信通話を受信したことをユーザに表示し得る。着信通話メッセージがショートメッセージサービスのメッセージである場合、通信デバイスは、第２の新しいアラートをウェアラブルデバイスに送信し得、ウェアラブルデバイスは、第２の通知方式（例えば、バイブレーション方式）でプロンプタメッセージを送信し、通信デバイスがショートメッセージサービスのメッセージを受信したことをユーザに表示し得る。着信通話メッセージが電子メールである場合、通信デバイスは、第３の新しいアラートをウェアラブルデバイスに送信し得、ウェアラブルデバイスは、第３の通知方式（例えば、ベルおよびバイブレーションの両方の方式）でプロンプタメッセージを送信し、通信デバイスが電子メールを受信したことをユーザに表示し得る。
【００８９】
例示的に、本発明の本実施形態において、各タイプの着信通話メッセージは、ある新しいアラート通知に対応し得、各々の新しいアラート通知は、通知方式のある通知手段に対応する。
【００９０】
例えば、着信通話メッセージが着信通話である場合、通信デバイスは、第１の新しいアラートをウェアラブルデバイスに送信し得、ウェアラブルデバイスは、第１の通知方式（例えば、ベル方式）の第１の通知手段（例えば、ベル音１）を用いることによりプロンプタメッセージを送信し、通信デバイスが着信通話を受信したことをユーザに表示し得る。着信通話メッセージがショートメッセージサービスのメッセージである場合、通信デバイスは、第２の新しいアラートをウェアラブルデバイスに送信し得、ウェアラブルデバイスは、第１の通知方式（例えば、ベル方式）の第２の通知手段（例えば、ベル音２）を用いることによりプロンプタメッセージを送信し、通信デバイスがショートメッセージサービスのメッセージを受信したことをユーザに表示し得る。着信通話メッセージが電子メールである場合、通信デバイスは、第３の新しいアラートをウェアラブルデバイスに送信し得、ウェアラブルデバイスは、第１の通知方式（例えば、ベル方式）の第３の通知手段（例えば、ベル音３）を用いることによりプロンプタメッセージを送信し、通信デバイスが電子メールを受信したことをユーザに表示し得る。
【００９１】
本発明の本実施形態における事前設定された通知方式としては、上記の複数の通知方式が挙げられるが、これらに限定されず、他の複数の通知方式は、本明細書における本発明の本実施形態において詳細に説明されないことに留意されたい。
【００９２】
ユーザは、ウェアラブルデバイス側でウェアラブルデバイスにより用いられる事前設定された通知方式を直接に設定し得、またはユーザは、通信デバイス側でもウェアラブルデバイスにより用いられる事前設定された通知方式を設定し得、あるいはユーザは、ウェアラブルデバイスが通信デバイス側の設定またはウェアラブルデバイスの現在の状態情報に応じて対応する通知方式を自動的に選択するようにも設定し得る。
【００９３】
Ｓ４０４。ウェアラブルデバイスは、Ｂｌｕｅｔｏｏｔｈ（登録商標）ヘッドセットとのＢｌｕｅｔｏｏｔｈ（登録商標）ペアリングを確立し、ウェアラブルデバイスは、Ｂｌｕｅｔｏｏｔｈ（登録商標）ヘッドセットにより送信されたＢｌｕｅｔｏｏｔｈ（登録商標）ヘッドセットの識別子情報を受信してＢｌｕｅｔｏｏｔｈ（登録商標）ヘッドセットの識別子情報を保存する。
【００９４】
ウェアラブルデバイスによりＢｌｕｅｔｏｏｔｈ（登録商標）ヘッドセットとのＢｌｕｅｔｏｏｔｈ（登録商標）ペアリングを確立するための具体的な方法については、Ｂｌｕｅｔｏｏｔｈ（登録商標）ヘッドセットにより通信デバイスとのペアリングを確立するための本発明の他の方法の複数の実施形態における方法を参照することができ、詳細は、本明細書における本発明の本実施形態において再度説明されないことに留意されたい。Ｂｌｕｅｔｏｏｔｈ（登録商標）ヘッドセットとのＢｌｕｅｔｏｏｔｈ（登録商標）ペアリングを首尾よく確立した後、ウェアラブルデバイスは、Ｂｌｕｅｔｏｏｔｈ（登録商標）ヘッドセットにより送信されたＢｌｕｅｔｏｏｔｈ（登録商標）ヘッドセットの識別子情報を受信し得る。
【００９５】
Ｓ４０５。Ｂｌｕｅｔｏｏｔｈ（登録商標）ヘッドセットがウェアラブルデバイスから取り外されたか否かをウェアラブルデバイスが検出する。
【００９６】
通信デバイスにより送信された新しいアラート通知を受信した後、ウェアラブルデバイスは、Ｂｌｕｅｔｏｏｔｈ（登録商標）ヘッドセットがウェアラブルデバイスから取り外されたか否かを検出し得る。
【００９７】
Ｓ４０６。Ｂｌｕｅｔｏｏｔｈ（登録商標）ヘッドセットがウェアラブルデバイスから取り外されたことをウェアラブルデバイスが検出すると、ウェアラブルデバイスは、第１の通知を通信デバイスに送信する。
【００９８】
本発明の本実施形態の使用シナリオにおいて、第１の通知は、Ｂｌｕｅｔｏｏｔｈ（登録商標）ヘッドセットの識別子情報を保持する。
【００９９】
この使用シナリオの場合、ウェアラブルデバイスは、Ｂｌｕｅｔｏｏｔｈ（登録商標）ヘッドセットとのＢｌｕｅｔｏｏｔｈ（登録商標）ペアリングを予め確立して、Ｂｌｕｅｔｏｏｔｈ（登録商標）ヘッドセットの識別子情報を取得して保存し得る。
【０１００】
この使用シナリオの別の場合、Ｂｌｕｅｔｏｏｔｈ（登録商標）ヘッドセットとのＢｌｕｅｔｏｏｔｈ（登録商標）ペアリングを予め確立することに代えて、ウェアラブルデバイスは、Ｂｌｕｅｔｏｏｔｈ（登録商標）ヘッドセットがウェアラブルデバイスから取り外されたことを検出した後にＢｌｕｅｔｏｏｔｈ（登録商標）ヘッドセットとのＢｌｕｅｔｏｏｔｈ（登録商標）ペアリングを確立し、Ｂｌｕｅｔｏｏｔｈ（登録商標）ヘッドセットの識別子情報を取得して保存し得る。
【０１０１】
Ｓ４０７。Ｂｌｕｅｔｏｏｔｈ（登録商標）ヘッドセットがウェアラブルデバイスから取り外されたか否かをＢｌｕｅｔｏｏｔｈ（登録商標）ヘッドセットが検出する。
【０１０２】
本発明の本実施形態において、Ｂｌｕｅｔｏｏｔｈ（登録商標）ヘッドセットによりＢｌｕｅｔｏｏｔｈ（登録商標）ヘッドセットがウェアラブルデバイスから取り外されたか否かを検出するための方法は、ウェアラブルデバイスによりＢｌｕｅｔｏｏｔｈ（登録商標）ヘッドセットがウェアラブルデバイスから取り外されたか否かを検出するための方法と同様であり、本明細書における本発明の本実施形態では詳細に説明されないことに留意されたい。
【０１０３】
Ｓ４０８。Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）機能を有効にする。
【０１０４】
本発明の本実施形態において、段階Ｓ４０５および段階Ｓ４０６がまず実行され得、次に段階Ｓ４０７および段階Ｓ４０８が実行され、もしくは段階Ｓ４０７および段階Ｓ４０８がまず実行され得、次に段階Ｓ４０５および段階Ｓ４０６が実行される。または段階Ｓ４０７および段階Ｓ４０８が実行される場合に、段階Ｓ４０５および段階Ｓ４０６が同時に実行され得ることに留意されたい。段階Ｓ４０５および段階Ｓ４０６を実行し、段階Ｓ４０７および段階Ｓ４０８を実行する順序は、本発明の本実施形態において限定されない。
【０１０５】
Ｓ４０９。通信デバイスは、Ｂｌｕｅｔｏｏｔｈ（登録商標）ヘッドセットの識別子情報に対応するＢｌｕｅｔｏｏｔｈ（登録商標）ヘッドセットにＢｌｕｅｔｏｏｔｈ（登録商標）ペアリング要求を送信する。
【０１０６】
Ｂｌｕｅｔｏｏｔｈ（登録商標）ヘッドセットの識別子情報は、Ｂｌｕｅｔｏｏｔｈ（登録商標）ヘッドセットの識別子情報を第１の通知に追加することにより、通信デバイスにウェアラブルデバイスにより送信されてもよく、またはＢｌｕｅｔｏｏｔｈ（登録商標）ヘッドセットの識別子情報は、通信デバイスに予め格納されてもよい。
【０１０７】
Ｓ４１０。Ｂｌｕｅｔｏｏｔｈ（登録商標）ヘッドセットは、Ｂｌｕｅｔｏｏｔｈ（登録商標）ペアリング要求に応じて通信デバイスとのＢｌｕｅｔｏｏｔｈ（登録商標）ペアリングを確立する。
【０１０８】
本発明の本実施形態の使用シナリオにおいて、Ｂｌｕｅｔｏｏｔｈ（登録商標）ヘッドセットが通信デバイスと通信する前の準備時間を短縮して通信効率を改善するべく、通信デバイスは、Ｂｌｕｅｔｏｏｔｈ（登録商標）ヘッドセットとのＢｌｕｅｔｏｏｔｈ（登録商標）ペアリングを予め確立し得、従って、通信デバイスがＢｌｕｅｔｏｏｔｈ（登録商標）ヘッドセットの識別子情報を受信し、Ｂｌｕｅｔｏｏｔｈ（登録商標）ヘッドセットが有効状態にある（すなわち、Ｂｌｕｅｔｏｏｔｈ（登録商標）ヘッドセットがウェアラブルデバイスから取り外されている）と判断した後、ボイスメッセージは、Ｂｌｕｅｔｏｏｔｈ（登録商標）を用いて通信デバイスにタイミング良く送信され得る。
【０１０９】
本発明の本実施形態における別の使用シナリオでは、Ｂｌｕｅｔｏｏｔｈ（登録商標）ヘッドセットとのペアリングを予め確立することに代えて、通信デバイスは、第１の通知を受信した後、Ｂｌｕｅｔｏｏｔｈ（登録商標）ヘッドセットとのＢｌｕｅｔｏｏｔｈ（登録商標）ペアリングを確立する。
【０１１０】
Ｓ４１１。Ｂｌｕｅｔｏｏｔｈ（登録商標）ヘッドセットは、Ｂｌｕｅｔｏｏｔｈ（登録商標）を用いてボイスメッセージを通信デバイスに送信する。
【０１１１】
具体的には、Ｂｌｕｅｔｏｏｔｈ（登録商標）ヘッドセットは、メッセージ聞き取りコマンドを通信デバイスに送信し得、メッセージ聞き取りコマンドは、Ｂｌｕｅｔｏｏｔｈ（登録商標）ヘッドセットと通信デバイスとの間の音声通信リンクを確立するように要求するべく用いられる。メッセージ聞き取りコマンドを受信した後、通信デバイスは、メッセージ聞き取り応答をＢｌｕｅｔｏｏｔｈ（登録商標）ヘッドセットに返し、メッセージ聞き取り応答は、音声通信リンクが既に確立されたことを示すべく用いられる。
【０１１２】
更に任意選択で、ユーザがＢｌｕｅｔｏｏｔｈ（登録商標）ヘッドセットを用いて通信デバイスのボイスメッセージを聞き取るときの通信品質を保証するべく、Ｂｌｕｅｔｏｏｔｈ（登録商標）を用いてＢｌｕｅｔｏｏｔｈ（登録商標）ヘッドセットによりボイスメッセージを通信デバイスに送信する前に、本発明の本実施形態における方法は、Ｂｌｕｅｔｏｏｔｈ（登録商標）ヘッドセットによりＢｌｕｅｔｏｏｔｈ（登録商標）ヘッドセットが着用状態にあるか否かを検出する段階を更に備え得る。本発明の本実施形態において、Ｂｌｕｅｔｏｏｔｈ（登録商標）ヘッドセットが着用状態にあることは具体的には、Ｂｌｕｅｔｏｏｔｈ（登録商標）ヘッドセットを着用する方式で、ユーザによりユーザの耳部分にＢｌｕｅｔｏｏｔｈ（登録商標）ヘッドセットを固定すること、またはＢｌｕｅｔｏｏｔｈ（登録商標）ヘッドセットを着用する方式以外の着用方式で、ユーザによりユーザの耳部分にＢｌｕｅｔｏｏｔｈ（登録商標）ヘッドセットを当てることを含み得る。
【０１１３】
例示的に、Ｂｌｕｅｔｏｏｔｈ（登録商標）ヘッドセットが着用状態にあるか否かを検出するべく、Ｂｌｕｅｔｏｏｔｈ（登録商標）ヘッドセットは、近接センサ、光センサ、もしくは温度センサを用い、または複数のセンサを同時に用いてもよい。
【０１１４】
例えば、ユーザがＢｌｕｅｔｏｏｔｈ（登録商標）ヘッドセットを着用すると、光センサは、Ｂｌｕｅｔｏｏｔｈ（登録商標）ヘッドセットとユーザ（ユーザの耳）との間の接触面に取り付けられてもよく、光センサは、リアルタイムで光センサの位置の光強度をモニタリングしてもよい。ユーザがＢｌｕｅｔｏｏｔｈ（登録商標）ヘッドセットを着用する場合（すなわち、Ｂｌｕｅｔｏｏｔｈ（登録商標）ヘッドセットは着用状態にある）、Ｂｌｕｅｔｏｏｔｈ（登録商標）ヘッドセットはユーザと接触するので、Ｂｌｕｅｔｏｏｔｈ（登録商標）ヘッドセットとユーザとの間の接触面における光は遮断され、光センサによりモニタリングされ得る光強度は、相対的に弱くなる。ユーザがＢｌｕｅｔｏｏｔｈ（登録商標）ヘッドセットを着用していない場合（すなわち、Ｂｌｕｅｔｏｏｔｈ（登録商標）ヘッドセットは着用状態にない）、Ｂｌｕｅｔｏｏｔｈ（登録商標）ヘッドセットとユーザとの間の接触面における光は遮断されず、光センサによりモニタリングされ得る光強度は、強くなる。光センサは、光強度の変化に応じて異なるレベルを生成し得る。Ｂｌｕｅｔｏｏｔｈ（登録商標）ヘッドセットにおけるデータ処理チップは、レベルの変化を取得して、リアルタイムで取得されたレベル値により表される光強度を事前設定された強度閾値と比較し、Ｂｌｕｅｔｏｏｔｈ（登録商標）ヘッドセットが着用状態にあるか否かを判断し得る。例えば、リアルタイムで取得されたレベル値によりにより表される光強度が事前設定された強度閾値より高い場合、Ｂｌｕｅｔｏｏｔｈ（登録商標）ヘッドセットは、Ｂｌｕｅｔｏｏｔｈ（登録商標）ヘッドセットが着用状態にないと判断し得る。またはリアルタイムで取得されたレベル値により表される光強度が事前設定された強度閾値より低い場合、Ｂｌｕｅｔｏｏｔｈ（登録商標）ヘッドセットは、Ｂｌｕｅｔｏｏｔｈ（登録商標）ヘッドセットが着用状態にあると判断し得る。
【０１１５】
Ｂｌｕｅｔｏｏｔｈ（登録商標）ヘッドセットによりＢｌｕｅｔｏｏｔｈ（登録商標）ヘッドセットが着用状態にあるか否かを検出するための方法は、上記の方法を含むが、これに限定されないことに留意されたい。Ｂｌｕｅｔｏｏｔｈ（登録商標）ヘッドセットによりＢｌｕｅｔｏｏｔｈ（登録商標）ヘッドセットが着用状態にあるか否かを検出するための別の方法は、本明細書における本発明の本実施形態で詳細に説明される。
【０１１６】
これに対応して、Ｂｌｕｅｔｏｏｔｈ（登録商標）を用いてＢｌｕｅｔｏｏｔｈ（登録商標）ヘッドセットにより通信デバイスにボイスメッセージを送信する段階は、具体的には、Ｂｌｕｅｔｏｏｔｈ（登録商標）ヘッドセットが着用状態にある場合、Ｂｌｕｅｔｏｏｔｈ（登録商標）を用いてＢｌｕｅｔｏｏｔｈ（登録商標）ヘッドセットにより通信デバイスにボイスメッセージを送信する段階であり得る。
【０１１７】
本発明の本実施形態において、Ｂｌｕｅｔｏｏｔｈ（登録商標）を用いて、Ｂｌｕｅｔｏｏｔｈ（登録商標）ヘッドセットにより通信デバイスにボイスメッセージを送信する段階は、Ｂｌｕｅｔｏｏｔｈ（登録商標）を用いてＢｌｕｅｔｏｏｔｈ（登録商標）ヘッドセットにより、通信デバイスによって送信されるボイスメッセージを受信する段階と、Ｂｌｕｅｔｏｏｔｈ（登録商標）を用いてＢｌｕｅｔｏｏｔｈ（登録商標）ヘッドセットにより通信デバイスにボイスメッセージを送信する段階とを備え得ることに留意されたい。
【０１１８】
本発明の本実施形態において提供されるＢｌｕｅｔｏｏｔｈ（登録商標）通信方法によれば、Ｂｌｕｅｔｏｏｔｈ（登録商標）ヘッドセット、ウェアラブルデバイス、および通信デバイス間のデータ交換が実装され得る。更に、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にとどまるように設定され得る。Ｂｌｕｅｔｏｏｔｈ（登録商標）機能は、Ｂｌｕｅｔｏｏｔｈ（登録商標）ヘッドセットがウェアラブルデバイスから取り外された後にのみ（すなわち、ユーザがＢｌｕｅｔｏｏｔｈ（登録商標）ヘッドセットをウェアラブルデバイスから取り外し、Ｂｌｕｅｔｏｏｔｈ（登録商標）ヘッドセットがおそらくは用いられる場合）有効にされ、これにより、Ｂｌｕｅｔｏｏｔｈ（登録商標）ヘッドセットのＢｌｕｅｔｏｏｔｈ（登録商標）機能は、長時間有効状態にあるので、Ｂｌｕｅｔｏｏｔｈ（登録商標）ヘッドセットの電力消費量が相対的に高いという問題を回避し、Ｂｌｕｅｔｏｏｔｈ（登録商標）ヘッドセットの電力消費量を低減し得る。
【０１１９】
［実施形態５］
本実施形態において、ウェアラブルデバイスは、独立した通信機能を有するＢｌｕｅｔｏｏｔｈ（登録商標）デバイスであり得、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にある。
【０１２０】
本発明の本実施形態は、Ｂｌｕｅｔｏｏｔｈ（登録商標）通信方法を提供する。図５に示されるように、Ｂｌｕｅｔｏｏｔｈ（登録商標）通信方法は、以下の段階を備える。
【０１２１】
Ｓ５０１。ウェアラブルデバイスは、Ｂｌｕｅｔｏｏｔｈ（登録商標）ヘッドセットとのＢｌｕｅｔｏｏｔｈ（登録商標）ペアリングを確立し、ウェアラブルデバイスは、Ｂｌｕｅｔｏｏｔｈ（登録商標）ヘッドセットにより送信されたＢｌｕｅｔｏｏｔｈ（登録商標）ヘッドセットの識別子情報を受信してＢｌｕｅｔｏｏｔｈ（登録商標）ヘッドセットの識別子情報を保存する。
【０１２２】
本実施形態において、ウェアラブルデバイスによりＢｌｕｅｔｏｏｔｈ（登録商標）ヘッドセットとのＢｌｕｅｔｏｏｔｈ（登録商標）ペアリングを確立し、Ｂｌｕｅｔｏｏｔｈ（登録商標）ヘッドセットの識別子情報を取得して保存するための方法については、本発明の他の複数の実施形態における関連する説明を参照することができ、詳細は、本明細書における本発明の本実施形態において再度説明されないことに留意されたい。
【０１２３】
Ｓ５０２。着信通話メッセージを受信した後、ウェアラブルデバイスは、事前設定された通知方式でプロンプタメッセージを送信し、ウェアラブルデバイスが着信通話メッセージを受信したことをユーザに表示する。
【０１２４】
ウェアラブルデバイスにより受信された着信通話メッセージは、別の通信デバイスによりウェアラブルデバイスに送信される。
【０１２５】
本実施形態における着信通話メッセージのタイプおよび具体的な内容については、本発明の他の方法の複数の実施形態における関連する説明を参照することができ、本実施形態においては、事前設定された通知方式でウェアラブルデバイスによりプロンプタメッセージを送信し、ウェアラブルデバイスが着信通話メッセージを受信したことをユーザに表示するための方法については、本発明の他の複数の実施形態における関連する説明を参照することができ、詳細は、本明細書における本実施形態において再度説明されないことに留意されたい。
【０１２６】
Ｓ５０３。Ｂｌｕｅｔｏｏｔｈ（登録商標）ヘッドセットがウェアラブルデバイスから取り外されたか否かをＢｌｕｅｔｏｏｔｈ（登録商標）ヘッドセットが検出する。
【０１２７】
Ｓ５０４。Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）機能を有効にする。
【０１２８】
Ｓ５０５。Ｂｌｕｅｔｏｏｔｈ（登録商標）ヘッドセットがウェアラブルデバイスから取り外されたか否かをウェアラブルデバイスが検出する。
【０１２９】
本実施形態において、ウェアラブルデバイスによりＢｌｕｅｔｏｏｔｈ（登録商標）ヘッドセットがウェアラブルデバイスから取り外されたか否かを検出するための方法、およびＢｌｕｅｔｏｏｔｈ（登録商標）ヘッドセットによりＢｌｕｅｔｏｏｔｈ（登録商標）ヘッドセットがウェアラブルデバイスから取り外されたか否かを検出するための方法の両方については、本発明の他の方法の複数の実施形態における関連する説明を参照することができ、詳細は、本明細書における本実施形態において再度説明されないことに留意されたい。
【０１３０】
本発明の本実施形態において、段階Ｓ５０３および段階Ｓ５０４がまず実行され得、次に段階Ｓ５０５が実行され、もしくは段階Ｓ５０５がまず実行され得、次に段階Ｓ５０３および段階Ｓ５０４が実行され、または段階Ｓ５０３および段階Ｓ５０４は、段階Ｓ５０５が実行される場合に、同時に実行され得ることに留意されたい。段階Ｓ５０３および段階Ｓ５０４を実行し、段階Ｓ５０５を実行する順序は、本発明の本実施形態において限定されない。
【０１３１】
Ｓ５０６。Ｂｌｕｅｔｏｏｔｈ（登録商標）ヘッドセットがウェアラブルデバイスから取り外されたことをウェアラブルデバイスが検出すると、Ｂｌｕｅｔｏｏｔｈ（登録商標）を用いて、ボイスメッセージがＢｌｕｅｔｏｏｔｈ（登録商標）ヘッドセットに送信される。
【０１３２】
更に任意選択で、ユーザがＢｌｕｅｔｏｏｔｈ（登録商標）ヘッドセットを用いて通信デバイスのボイスメッセージを聞き取るときの通信品質を保証するべく、Ｂｌｕｅｔｏｏｔｈ（登録商標）を用いてウェアラブルデバイスによりボイスメッセージをＢｌｕｅｔｏｏｔｈ（登録商標）ヘッドセットに送信する前に、本発明の本実施形態における方法は、Ｂｌｕｅｔｏｏｔｈ（登録商標）ヘッドセットによりＢｌｕｅｔｏｏｔｈ（登録商標）ヘッドセットが着用状態にあるか否かを検出する段階を更に備え得る。
【０１３３】
これに対応して、Ｂｌｕｅｔｏｏｔｈ（登録商標）を用いてウェアラブルデバイスによりＢｌｕｅｔｏｏｔｈ（登録商標）ヘッドセットにボイスメッセージを送信する段階は、具体的には、Ｂｌｕｅｔｏｏｔｈ（登録商標）ヘッドセットが着用状態にある場合、Ｂｌｕｅｔｏｏｔｈ（登録商標）を用いてウェアラブルデバイスによりＢｌｕｅｔｏｏｔｈ（登録商標）ヘッドセットにボイスメッセージを送信する段階であり得る。
【０１３４】
本発明の本実施形態において提供されるＢｌｕｅｔｏｏｔｈ（登録商標）通信方法によれば、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にとどまるように設定され得る。Ｂｌｕｅｔｏｏｔｈ（登録商標）機能は、Ｂｌｕｅｔｏｏｔｈ（登録商標）ヘッドセットがウェアラブルデバイスから取り外された後にのみ（すなわち、ユーザがＢｌｕｅｔｏｏｔｈ（登録商標）ヘッドセットをウェアラブルデバイスから取り外し、Ｂｌｕｅｔｏｏｔｈ（登録商標）ヘッドセットがおそらくは用いられる場合）有効にされ、これにより、Ｂｌｕｅｔｏｏｔｈ（登録商標）ヘッドセットのＢｌｕｅｔｏｏｔｈ（登録商標）機能は、長時間有効状態にあるので、Ｂｌｕｅｔｏｏｔｈ（登録商標）ヘッドセットの電力消費量が相対的に高いという問題を回避し、Ｂｌｕｅｔｏｏｔｈ（登録商標）ヘッドセットの電力消費量を低減し得る。
【０１３５】
［実施形態６］
本発明の本実施形態は、ウェアラブルデバイス６０を提供し、Ｂｌｕｅｔｏｏｔｈ（登録商標）ヘッドセットは、ウェアラブルデバイス６０上に取り付けられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイス６０から取り外される前は無効状態にあり、Ｂｌｕｅｔｏｏｔｈ（登録商標）ヘッドセットがウェアラブルデバイス６０から取り外されたことをＢｌｕｅｔｏｏｔｈ（登録商標）ヘッドセットが検出すると、Ｂｌｕｅｔｏｏｔｈ（登録商標）ヘッドセットは、Ｂｌｕｅｔｏｏｔｈ（登録商標）機能を有効にする。
【０１３６】
図６に示されるように、本発明の本実施形態におけるウェアラブルデバイス６０は、プロセッサ６１および通信モジュール６２を含む。
【０１３７】
プロセッサ６１は、Ｂｌｕｅｔｏｏｔｈ（登録商標）ヘッドセットがウェアラブルデバイス６０から取り外されたか否かを検出するように構成される。
【０１３８】
通信モジュール６２は、Ｂｌｕｅｔｏｏｔｈ（登録商標）ヘッドセットがウェアラブルデバイス６０から取り外されたことをプロセッサ６１が検出すると、第１の通知を通信デバイスに送信するように構成され、第１の通知は、Ｂｌｕｅｔｏｏｔｈ（登録商標）を用いてボイスメッセージをＢｌｕｅｔｏｏｔｈ（登録商標）ヘッドセットに送信するように通信デバイスに命令するべく用いられる。
【０１３９】
通信モジュール６２は、通信デバイスにより送信された新しいアラート通知を受信するように更に構成され、新しいアラート通知は、通信デバイスが別のデバイスにより送信された着信通話メッセージを受信した後に、通信デバイスによりウェアラブルデバイス６０に送信される。
【０１４０】
プロセッサ６１は、通信モジュール６２により受信された情報をリアルタイムでモニタリングし得、プロセッサ６１は、通信モジュール６２が新しいアラート通知を受信した後に、Ｂｌｕｅｔｏｏｔｈ（登録商標）ヘッドセットがウェアラブルデバイス６０から取り外されたか否かを検出し得る。
【０１４１】
本発明の本実施形態において、通信モジュール６２は、外部デバイスとデータを交換するように構成されたＢｌｕｅｔｏｏｔｈ（登録商標）モジュールであってもよい。
【０１４２】
Ｂｌｕｅｔｏｏｔｈ（登録商標）モジュールは、Ｂｌｕｅｔｏｏｔｈ（登録商標）機能が集積されるプリント回路基板アセンブリ（Ｐｒｉｎｔｅｄ  Ｃｉｒｃｕｉｔ  Ｂｏａｒｄ  Ａｓｓｅｍｂｌｙ、ＰＣＢＡ）であり、短距離無線通信に用いられ得、複数の機能に応じてＢｌｕｅｔｏｏｔｈ（登録商標）データモジュールおよびＢｌｕｅｔｏｏｔｈ（登録商標）音声モジュールに分類され得る。ＰＣＢＡは、表面装着技術（Ｓｕｒｆａｃｅ  Ｍｏｕｎｔ  Ｔｅｃｈｎｏｌｏｇｙ、ＳＭＴ）を用いることにより、コンポーネントが未加工のプリント回路基板（Ｐｒｉｎｔｅｄ  Ｃｉｒｃｕｉｔ  Ｂｏａｒｄ、ＰＣＢ）上に装着され、コンポーネントがデュアルインラインピンパッケージ（Ｄｕａｌ  Ｉｎｌｉｎｅ−ｐｉｎ  Ｐａｃｋａｇｅ、ＤＩＰ）を用いて挿入された後に得られるＰＣＢである。Ｂｌｕｅｔｏｏｔｈ（登録商標）モジュールは、Ｂｌｕｅｔｏｏｔｈ（登録商標）チップ上に集積され得る。勿論、通信モジュールは、Ｂｌｕｅｔｏｏｔｈ（登録商標）モジュールに対応する無線周波数（Ｒａｄｉｏ  Ｆｒｅｑｕｅｎｃｙ、ＲＦ）回路を更に含む。ＲＦ無線周波数回路は、情報の送受信処理中または通話中に信号を送受信するように構成される。
【０１４３】
また、本発明の本実施形態における通信モジュール６２は、外部デバイスとデータを交換するように構成された通信インタフェースであってもよく、そのフルネームは、英語でＣｏｍｍｕｎｉｃａｔｉｏｎ  Ｉｎｔｅｒｆａｃｅであることに留意されたい。通信モジュールは、２つの通信インタフェース、すなわちデータを外部デバイスに送信するように構成された送信インタフェース、およびデータを外部デバイスから受信するように構成された受信インタフェースを含み得る。すなわち、ウェアラブルデバイス６０は、２つの異なる通信インタフェースを用いてデータの送受信を別々に実装し得る。勿論、通信モジュールは、１つの通信インタフェース上にデータ受信機能およびデータ送信機能を統合し得、通信インタフェースは、データ受信機能およびデータ送信機能を有する。通信インタフェースは、Ｂｌｕｅｔｏｏｔｈ（登録商標）チップまたはＮＦＣチップ上に集積され得る。
【０１４４】
更に、図６に示され、図７に示されるプロセッサ６１および通信モジュール６２を含むウェアラブルデバイス６０に基づいて、本発明の本実施形態におけるウェアラブルデバイス６０は、センサ６３およびストレージ６４を更に含み得る。
【０１４５】
センサ６３は、近接センサ、光センサ、または静電容量センサ等の複数のセンサのうちの少なくとも１つを含み得る。具体的には、プロセッサ６１は、センサ６３を用いることによりＢｌｕｅｔｏｏｔｈ（登録商標）ヘッドセットがウェアラブルデバイス６０から取り外されたか否かを検出するように構成される。
【０１４６】
ストレージ６４およびプロセッサ６１は、バスを用いることにより接続されて互いの通信を完全なものにする。
【０１４７】
ストレージ６４は、複数の機能モジュールをウェアラブルデバイス６０およびアプリケーションプログラムに格納するように構成され、プロセッサ６１は、ストレージ６４に格納されたアプリケーションプログラムおよび複数のモジュールを動作させて、ウェアラブルデバイス６０の複数の機能アプリケーションを実行し、データ処理を実装する。ストレージ６４は、主にとしてプログラム格納領域およびデータ格納領域を含み、プログラム格納領域は、サウンド再生プログラムおよび画像表示プログラム等の少なくとも１つの機能により必要とされるオペレーティングシステムおよびアプリケーションプログラムを格納し得、プログラム格納領域は、ウェアラブルデバイス６０等を用いることにより作成されたデータ（オーディオデータ等）を格納し得る。本発明の特定の実装方式において、ストレージ６４は、不揮発性ランダムアクセスメモリ（Ｎｏｎｖｏｌａｔｉｌｅ  Ｒａｎｄｏｍ  Ａｃｃｅｓｓ  Ｍｅｍｏｒｙ、ＮＶＲＡＭ）、相変化ランダムアクセスメモリ（Ｐｈａｓｅ  Ｃｈａｎｇｅ  ＲＡＭ、ＰＲＡＭ）、または磁気抵抗ランダムアクセスメモリ（Ｍａｇｅｔｏｒｅｓｉｓｔｉｖｅ  ＲＡＭ、ＭＲＡＭ）等の不揮発性メモリを含み得、ストレージ６４は、少なくとも１つの磁気ディスクストレージデバイス、電気的消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）等の不揮発性メモリ、またはＮＯＲフラッシュメモリ（ＮＯＲ  ｆｌａｓｈ  ｍｅｍｏｒｙ）もしくはＮＡＮＤフラッシュメモリ（ＮＡＮＤ  ｆｌａｓｈ  ｍｅｍｏｒｙ）等のフラッシュメモリデバイスも含み得る。不揮発性メモリは、プロセッサ６１により実行されるオペレーティングシステムおよびアプリケーションプログラムを格納する。プロセッサ６１は、不揮発性メモリからメモリに実行プログラムおよびデータを読み込み、多数のストレージ装置にデータコンテンツを格納する。オペレーティングシステムは、メモリ管理、ストレージデバイスの制御、および電力管理等、従来の複数のシステムタスク、ならびに様々なタイプのソフトウェアおよびハードウェアの間の通信を容易にする様々なコンポーネントおよび／またはドライバの制御および管理を含む。本発明の実装方式において、オペレーティングシステムは、Ａｎｄｒｏｉｄ（登録商標）システム、ｉＯＳシステム、ウィンドウズ（登録商標）オペレーティングシステム等であってもよく、またはＶｘｗｏｒｋｓ等の組み込みオペレーティングシステムである。
【０１４８】
本発明の本実施形態において、プロセッサ６１は、ウェアラブルデバイス６０の中央演算処理装置（Ｃｅｎｔｒａｌ  Ｐｒｏｃｅｓｓｉｎｇ  Ｕｎｉｔ、ＣＰＵ）等の制御センタであってもよく、制御センタは、複数のインタフェースおよびラインを用いることによりウェアラブルデバイス６０全体の複数の部分を接続し、ストレージ６４に格納されるプログラムコードおよび／またはモジュールを動作させ、もしくは実行し、ストレージ６４に格納されたデータを呼び出して、ウェアラブルデバイス６０の複数の機能を実行し、および／またはデータを処理し得ることに留意されたい。プロセッサ６１は、集積回路（Ｉｎｔｅｇｒａｔｅｄ  Ｃｉｒｃｕｉｔ、ＩＣ）または特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）を含み得る（例えば、プロセッサ６１は、単一のカプセル化ＩＣを含んでもよく、または同一の機能もしくは異なる複数の機能を有する複数のカプセル化ＩＣを含んでもよい）。例えば、プロセッサ６１は、ＣＰＵのみを含み得、またはＣＰＵ、グラフィック処理ユニット（Ｇｒａｐｈｉｃ  Ｐｒｏｃｅｓｓｉｎｇ  Ｕｎｉｔ、ＧＰＵ）、デジタル信号プロセッサ（Ｄｉｇｉｔａｌ  Ｓｉｇｎａｌ  Ｐｒｏｃｅｓｓｏｒ、ＤＳＰ）、および通信ユニットにおける制御チップ（ベースバンドチップ等）の組み合わせであってもよい。本発明の実装方式において、ＣＰＵは、単一のコンピューティングコアであってもよく、または複数のコンピューティングコアを含んでもよい。
【０１４９】
バスは、業界標準アーキテクチャ（Ｉｎｄｕｓｔｒｙ  Ｓｔａｎｄａｒｄ  Ａｒｃｈｉｔｅｃｔｕｒｅ、ＩＳＡ）バス、周辺構成要素相互接続（Ｐｅｒｉｐｈｅｒａｌ  Ｃｏｍｐｏｎｅｎｔ  Ｉｎｔｅｒｃｏｎｎｅｃｔ、ＰＣＩ）バス、または拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス等であってもよい。バスは、アドレスバス、データバス、制御バス等に分類され得る。説明しやすくするために、バスは１つの太線のみを用いて図６および図７に表されるが、これは１つのバスまたは１つのタイプのバスのみが存在することを表すものではない。
【０１５０】
更に、プロセッサ６１は、Ｂｌｕｅｔｏｏｔｈ（登録商標）ヘッドセットがウェアラブルデバイスから取り外されたことを検出した後、Ｂｌｕｅｔｏｏｔｈ（登録商標）ヘッドセットとのＢｌｕｅｔｏｏｔｈ（登録商標）ペアリングを確立し、Ｂｌｕｅｔｏｏｔｈ（登録商標）ヘッドセットの識別子情報を取得し、Ｂｌｕｅｔｏｏｔｈ（登録商標）ヘッドセットの識別子情報をストレージ６４に保存するように更に構成される。
【０１５１】
ストレージ６４は、プロセッサ６１により取得されたＢｌｕｅｔｏｏｔｈ（登録商標）ヘッドセットの識別子情報を保存するように構成され、Ｂｌｕｅｔｏｏｔｈ（登録商標）ヘッドセットの識別子情報は、Ｂｌｕｅｔｏｏｔｈ（登録商標）ヘッドセットのアドレス情報を含む。
【０１５２】
更に、通信モジュール６２により送信された第１の通知は、Ｂｌｕｅｔｏｏｔｈ（登録商標）ヘッドセットの識別子情報を保持し、通信モジュール６２により送信された第１の通知は、Ｂｌｕｅｔｏｏｔｈ（登録商標）を用いて、Ｂｌｕｅｔｏｏｔｈ（登録商標）ヘッドセットの識別子情報により示されるＢｌｕｅｔｏｏｔｈ（登録商標）ヘッドセットにボイスメッセージを送信するように通信デバイスに命令するべく用いられる。
【０１５３】
本発明の本実施形態におけるウェアラブルデバイス６０の複数の機能モジュールとしては、上記の複数の機能モジュールが挙げられるが、これらに限定されないことに留意されたい。
【０１５４】
例示的に、ウェアラブルデバイス６０は、ユーザとウェアラブルデバイス６０との間のインタラクションを実装するように構成されたいくつかの入力モジュール６５を更に含み得る。
【０１５５】
例えば、入力モジュール６５は、ユーザにより入力されたデジタル情報または文字情報を受信してユーザ設定または機能制御に関連する信号入力を生成し得る。本発明の特定の実装方式において、入力モジュール６５は、タッチパネルであってもよく、または物理的入力キーもしくはマイク等、別のヒューマンコンピュータインタラクションインタフェースであってもよく、またはカメラ等の別の外部情報取り込み装置であってもよい。タッチパネルは、タッチスクリーンまたはタッチ制御スクリーンとも称され、指もしくはスタイラス等の任意の好適な物体またはアクセサリを用いることによりタッチパネル上またはその付近でユーザの操作アクション、例えば、タッチパネル上またはタッチパネル付近の位置でユーザの操作アクションを取得し、事前設定されたプログラムに従って対応する接続装置を駆動し得る。任意選択で、タッチパネルは、タッチ検出装置およびタッチコントローラという２つの部品を含み得る。タッチ検出装置は、ユーザのタッチ操作を検出して検出されたタッチ操作を電気信号に変換し、電気信号をタッチコントローラに転送する。タッチコントローラは、電気信号をタッチ検出装置から受信して電気信号をタッチポイント座標に変換し、次にタッチポイント座標をプロセッサ６１に送信する。更に、タッチコントローラは、プロセッサ６１により送信されたコマンドを受信してコマンドを実行し得る。更に、タッチパネルは、抵抗性、容量性、赤外線（Ｉｎｆｒａｒｅｄ）、または表面弾性波のタッチパネルであってもよい。本発明の別の実装方式において、入力モジュール６５により用いられる物理的入力キーとしては、物理的キーボード、機能キー（音量制御キーもしくはスイッチキー）、トラックボール、マウス、およびジョイスティックのうちの１または複数が挙げられ得るが、これらに限定されない。マイクの形態の入力モジュール６５は、ユーザにより、または環境から入力された音声を取得して、電気信号の形態であり、プロセッサ６１により実行され得るコマンドに音声を変換し得る。例示的に、ウェアラブルデバイス６０は、ユーザとウェアラブルデバイス６０との間のインタラクションを実装するように構成されたいくつかの出力モジュール６６を更に含み得る。
【０１５６】
出力モジュール６６は、視覚出力モジュールおよびオーディオ出力モジュールを含むが、これらに限定されない。視覚出力モジュールは、テキスト、写真、および／または動画を出力するように構成される。視覚出力モジュールは、ディスプレイパネル、例えば、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）、電界放出ディスプレイ（ｆｉｅｌｄ  ｅｍｉｓｓｉｏｎ  ｄｉｓｐｌａｙ、ＦＥＤ）等の形態で構成されたディスプレイパネルを含み得る。あるいは、視覚出力モジュールは、反射型ディスプレイ、例えば光干渉変調技術を用いるディスプレイを含み得る。視覚出力モジュールは、単一のディスプレイまたは異なるサイズの複数のディスプレイを含み得る。本発明の特定の実装方式において、上述の入力モジュール６５により用いられるタッチパネルは、出力モジュール６６のディスプレイパネルとしても用いられ得る。例えば、タッチパネル上でタッチを検出し、またはタッチパネル付近でジェスチャ動作を検出した後、タッチパネルは、タッチまたはジェスチャ動作をプロセッサ６１に送信してタッチイベントのタイプを判断し、次にプロセッサは、タッチイベントのタイプに応じてディスプレイパネル上に対応する視覚出力を提供する。図７に示されるように、入力モジュール６５および出力モジュール６６は、ウェアラブルデバイス６０の入出力機能を実装するための独立した２つのコンポーネントとして用いられ得るが、いくつかの実施形態において、入力モジュール６５および出力モジュール６６は、ウェアラブルデバイスの入出力機能を実装するべく統合され得る（図７に示されるように、入力モジュール６５および出力モジュール６６は、１つの破線ボックス内に含まれ、入力モジュール６５および出力モジュール６６が統合されていることを表す）。例えば、視覚出力モジュール６６は、複数の仮想制御コンポーネントとして様々なグラフィカルユーザインターフェース（Ｇｒａｐｈｉｃａｌ  Ｕｓｅｒ  Ｉｎｔｅｒｆａｃｅ、ＧＵＩ）を表示し得、これらは、ユーザがタッチ制御を用いて操作を実行するためのウィンドウ、スクロールバー、アイコン、およびクリップボードを含むが、これらに限定されない。
【０１５７】
更に、本発明の本実施形態において、プロセッサ６１、通信モジュール６２、センサ６３、ストレージ６４、出力モジュール６５、および出力モジュール６６等の複数のモジュールが、バスを用いて互いに接続され、通信を完全なものとする。
【０１５８】
例示的に、ウェアラブルデバイス６０は、ウェアラブルデバイス６０の異なる複数のコンポーネントに電力を供給してこれらのコンポーネントの動作を維持するように構成された電源６７を更に含み得る。概して、電源６７は、組込み型バッテリ、例えば一般的リチウムイオンバッテリまたはニッケル金属水素化物バッテリであり得、外部電源、例えば、ウェアラブルデバイス６０に電力を直接供給するＡＣアダプタも含む。また、本発明のいくつかの実装方式において、電源６６は、より広い定義を有し得、例えば、電力管理システム、課金システム、停電検出回路、電力コンバータまたはインバータ、電力状態インジケータ（発行ダイオード等）、ならびにウェアラブルデバイス６０のための電気エネルギーの生成、管理、および分配に関連するその他のコンポーネントも含み得る。
【０１５９】
ウェアラブルデバイス６０は、ユーザがウェアラブルデバイス６０を着用するための着用装置６８を更に含み得ることに留意されたい。例えば、Ｂｌｕｅｔｏｏｔｈ（登録商標）リストバンドは、リストストラップを含む。
【０１６０】
本発明の本実施形態において提供されるウェアラブルデバイスは、Ｂｌｕｅｔｏｏｔｈ（登録商標）を用いてＢｌｕｅｔｏｏｔｈ（登録商標）ヘッドセットにボイスメッセージを送信するように通信デバイスに命令するべく、Ｂｌｕｅｔｏｏｔｈ（登録商標）ヘッドセットがウェアラブルデバイスから取り外されたことを検出した後に、通信デバイスに第１の通知を送信し得る。Ｂｌｕｅｔｏｏｔｈ（登録商標）ヘッドセット、ウェアラブルデバイス、および通信デバイス間のデータ交換を用いて、Ｂｌｕｅｔｏｏｔｈ（登録商標）ヘッドセットと通信デバイスとの間のボイスメッセージの送信が実装され得る。更に、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にとどまるように設定され得る。Ｂｌｕｅｔｏｏｔｈ（登録商標）機能は、Ｂｌｕｅｔｏｏｔｈ（登録商標）ヘッドセットがウェアラブルデバイスから取り外された後にのみ（すなわち、ユーザがＢｌｕｅｔｏｏｔｈ（登録商標）ヘッドセットをウェアラブルデバイスから取り外し、Ｂｌｕｅｔｏｏｔｈ（登録商標）ヘッドセットがおそらくは用いられる場合）有効にされ、これにより、Ｂｌｕｅｔｏｏｔｈ（登録商標）ヘッドセットのＢｌｕｅｔｏｏｔｈ（登録商標）機能は、長時間有効状態にあるので、Ｂｌｕｅｔｏｏｔｈ（登録商標）ヘッドセットの電力消費量が相対的に高いという問題を回避し、Ｂｌｕｅｔｏｏｔｈ（登録商標）ヘッドセットの電力消費量を低減し得る。
【０１６１】
［実施形態７］
本発明の本実施形態は、Ｂｌｕｅｔｏｏｔｈ（登録商標）ヘッドセット７０を提供し、Ｂｌｕｅｔｏｏｔｈ（登録商標）ヘッドセット７０は、ウェアラブルデバイス上に取り付けられた取外し可能なＢｌｕｅｔｏｏｔｈ（登録商標）デバイスであり、Ｂｌｕｅｔｏｏｔｈ（登録商標）ヘッドセット７０のＢｌｕｅｔｏｏｔｈ（登録商標）機能は、Ｂｌｕｅｔｏｏｔｈ（登録商標）ヘッドセット７０がウェアラブルデバイスから取り外される前は無効状態にある。
【０１６２】
図８に示されるように、Ｂｌｕｅｔｏｏｔｈ（登録商標）ヘッドセット７０は、プロセッサ７１および通信モジュール７２を含む。
【０１６３】
プロセッサ７１は、Ｂｌｕｅｔｏｏｔｈ（登録商標）ヘッドセット７０がウェアラブルデバイスから取り外されたか否かを検出し、Ｂｌｕｅｔｏｏｔｈ（登録商標）ヘッドセット７０がウェアラブルデバイスから取り外されたことが検出されると、Ｂｌｕｅｔｏｏｔｈ（登録商標）機能を有効にするように構成される。
【０１６４】
通信モジュール７２は、通信デバイスからＢｌｕｅｔｏｏｔｈ（登録商標）ペアリング要求を受信するように構成される。
【０１６５】
プロセッサ７１は、通信モジュールにより受信されたＢｌｕｅｔｏｏｔｈ（登録商標）ペアリング要求に応じて通信デバイスとのＢｌｕｅｔｏｏｔｈ（登録商標）ペアリングを確立するように更に構成される。
【０１６６】
通信モジュール７２は、プロセッサ７１が通信デバイスとのＢｌｕｅｔｏｏｔｈ（登録商標）ペアリングを確立した後、Ｂｌｕｅｔｏｏｔｈ（登録商標）を用いて通信デバイスにボイスメッセージを送信するように更に構成される。
【０１６７】
更に、通信モジュール７２により受信されたＢｌｕｅｔｏｏｔｈ（登録商標）ペアリング要求は、Ｂｌｕｅｔｏｏｔｈ（登録商標）ヘッドセット７０の識別子情報に応じて通信デバイスにより送信される。
【０１６８】
プロセッサ７１は、通信モジュール７２が通信デバイスからＢｌｕｅｔｏｏｔｈ（登録商標）ペアリング要求を受信する前に、ウェアラブルデバイスとのＢｌｕｅｔｏｏｔｈ（登録商標）ペアリングを確立するように更に構成される。
【０１６９】
通信モジュール７２は、Ｂｌｕｅｔｏｏｔｈ（登録商標）を用いてＢｌｕｅｔｏｏｔｈ（登録商標）ヘッドセット７０の識別子情報をウェアラブルデバイスに送信するように更に構成され、Ｂｌｕｅｔｏｏｔｈ（登録商標）ヘッドセット７０の識別子情報は、Ｂｌｕｅｔｏｏｔｈ（登録商標）ヘッドセット７０のアドレス情報を含み、Ｂｌｕｅｔｏｏｔｈ（登録商標）ヘッドセット７０の識別子情報は、ウェアラブルデバイスとのＢｌｕｅｔｏｏｔｈ（登録商標）ペアリングを確立することにより、プロセッサ７１によって取得される。
【０１７０】
更に、通信モジュール７２により受信されたＢｌｕｅｔｏｏｔｈ（登録商標）ペアリング要求は、Ｂｌｕｅｔｏｏｔｈ（登録商標）ヘッドセット７０の識別子情報に応じて通信デバイスにより送信される。Ｂｌｕｅｔｏｏｔｈ（登録商標）ヘッドセット７０の識別子情報は、ウェアラブルデバイスに予め格納されている。
【０１７１】
Ｂｌｕｅｔｏｏｔｈ（登録商標）ヘッドセット７０の識別子情報は、Ｂｌｕｅｔｏｏｔｈ（登録商標）ヘッドセット７０のアドレス情報を含む。
【０１７２】
更に、プロセッサ７１は、Ｂｌｕｅｔｏｏｔｈ（登録商標）を用いてボイスメッセージが通信デバイスに送信される前に、Ｂｌｕｅｔｏｏｔｈ（登録商標）ヘッドセット７０が着用状態にあるか否かを検出するように更に構成される。
【０１７３】
通信モジュール７２は、Ｂｌｕｅｔｏｏｔｈ（登録商標）ヘッドセット７０が着用状態にあることをプロセッサ７１が検出すると、Ｂｌｕｅｔｏｏｔｈ（登録商標）を用いてボイスメッセージを通信デバイスに送信するように更に構成される。
【０１７４】
更に、図８に示され、図９に示されるプロセッサ７１および通信モジュール７２を含むＢｌｕｅｔｏｏｔｈ（登録商標）ヘッドセット７０に基づいて、本発明の本実施形態におけるＢｌｕｅｔｏｏｔｈ（登録商標）ヘッドセット７０は、センサ７３およびストレージ７４を更に含み得る。
【０１７５】
センサ７３は、近接センサ、光センサ、または静電容量センサ等の複数のセンサのうちの少なくとも１つを含み得る。
【０１７６】
具体的には、プロセッサ７１は、センサ７３を用いることによりＢｌｕｅｔｏｏｔｈ（登録商標）ヘッドセット７０がウェアラブルデバイスから取り外されたか否かを検出するように構成される。
【０１７７】
本発明の本実施形態において、通信モジュール７２は、外部デバイスとデータを交換するように構成されたＢｌｕｅｔｏｏｔｈ（登録商標）モジュールであってもよく、または通信モジュール７２は、外部デバイスとデータを交換するように構成された通信インタフェースであってもよい。Ｂｌｕｅｔｏｏｔｈ（登録商標）モジュールおよび通信インタフェースについては、本発明の他の複数の実施形態における関連する説明を参照することができ、詳細は、本明細書における本実施形態では再度説明されない。
【０１７８】
更に、図９に示されるように、Ｂｌｕｅｔｏｏｔｈ（登録商標）ヘッドセット７０は、Ｂｌｕｅｔｏｏｔｈ（登録商標）ヘッドセット７０内にある複数の機能モジュールおよびソフトウェアプログラムを格納するように構成されたストレージ７４を更に含み得、プロセッサ７１は、ストレージ７４に格納されたソフトウェアプログラムおよび複数のモジュールを動作させ、Ｂｌｕｅｔｏｏｔｈ（登録商標）ヘッドセット７０の機能アプリケーションを実行してデータ処理を実施する。ストレージ７４については、本発明の実施形態６におけるストレージ６４の関連する説明を参照することができ、プロセッサ７１については、本発明の実施形態６におけるプロセッサ６１の関連する説明を参照することができ、これらは、本明細書における本実施形態において再度詳細に説明されない。
【０１７９】
更に、図９に示されるように、Ｂｌｕｅｔｏｏｔｈ（登録商標）ヘッドセット７０は、出力モジュール７４および入力モジュール７５を更に含み得る。
【０１８０】
入力モジュール７５は、Ｂｌｕｅｔｏｏｔｈ（登録商標）ヘッドセット７０のマイクであってもよく、出力モジュール７６は、オーディオ出力モジュール、例えばＢｌｕｅｔｏｏｔｈ（登録商標）ヘッドセット７０のマイクであってもよい。勿論、入力モジュール７５および出力モジュール７６は、マイクに限定されない。入力モジュール７５および出力モジュール７６の他の具体的な内容については、本発明の実施形態６における関連する説明を参照することができ、詳細は、本明細書の本実施形態において再度説明されない。入力モジュール７５および出力モジュール７６は、ウェアラブルデバイスの入出力機能を実装するべく統合されてもよい。図９に示されるように、入力モジュール７５および出力モジュール７６は、１つの破線ボックス内に含まれ、入力モジュール７５および出力モジュール７６が統合されていることを表す。
【０１８１】
更に、本発明の本実施形態において、プロセッサ７１、通信モジュール７２、センサ７３、ストレージ７４、出力モジュール７５、および出力モジュール７６等の複数のモジュールが、バスを用いて互いに接続され、通信を完全なものとする。バスは１つの太線のみを用いて図８および図９に表されるが、これは１つのバスまたは１つのタイプのバスのみが存在することを表す。
【０１８２】
更に、Ｂｌｕｅｔｏｏｔｈ（登録商標）ヘッドセット７０は、バッテリ７７、およびユーザがＢｌｕｅｔｏｏｔｈ（登録商標）ヘッドセット７０を着用するための着用装置を更に含み得る。
【０１８３】
本発明の本実施形態において提供されるＢｌｕｅｔｏｏｔｈ（登録商標）ヘッドセット７０によれば、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にとどまるように設定され得、Ｂｌｕｅｔｏｏｔｈ（登録商標）ヘッドセットは、Ｂｌｕｅｔｏｏｔｈ（登録商標）ヘッドセットがウェアラブルデバイスから取り外された後にのみ（すなわち、ユーザがＢｌｕｅｔｏｏｔｈ（登録商標）ヘッドセットをウェアラブルデバイスから取り外し、Ｂｌｕｅｔｏｏｔｈ（登録商標）ヘッドセットがおそらくは用いられる場合）Ｂｌｕｅｔｏｏｔｈ（登録商標）機能を有効にし、これにより、Ｂｌｕｅｔｏｏｔｈ（登録商標）ヘッドセットのＢｌｕｅｔｏｏｔｈ（登録商標）機能は、長時間有効状態にあるので、Ｂｌｕｅｔｏｏｔｈ（登録商標）ヘッドセットの電力消費量が相対的に高いという問題を回避し、Ｂｌｕｅｔｏｏｔｈ（登録商標）ヘッドセットの電力消費量を低減し得る。
【０１８４】
［実施形態８］
本発明の本実施形態は、通信デバイス８０を提供し、Ｂｌｕｅｔｏｏｔｈ（登録商標）ヘッドセットは、ウェアラブルデバイス上に取り付けられた取外し可能なＢｌｕｅｔｏｏｔｈ（登録商標）デバイスであり、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にあり、Ｂｌｕｅｔｏｏｔｈ（登録商標）ヘッドセットがウェアラブルデバイスから取り外されたことをＢｌｕｅｔｏｏｔｈ（登録商標）ヘッドセットが検出すると、Ｂｌｕｅｔｏｏｔｈ（登録商標）ヘッドセットは、Ｂｌｕｅｔｏｏｔｈ（登録商標）機能を有効にする。
【０１８５】
図１０に示されるように、通信デバイス８０は、通信モジュール８１およびプロセッサ８２を含む。
【０１８６】
通信モジュール８１は、第１の通知をウェアラブルデバイスから受信するように構成され、第１の通知は、Ｂｌｕｅｔｏｏｔｈ（登録商標）ヘッドセットとのＢｌｕｅｔｏｏｔｈ（登録商標）ペアリングを確立するように通信デバイスに命令するべく用いられる。
【０１８７】
プロセッサ８２は、Ｂｌｕｅｔｏｏｔｈ（登録商標）ヘッドセットの識別子情報に応じてＢｌｕｅｔｏｏｔｈ（登録商標）ペアリング要求をＢｌｕｅｔｏｏｔｈ（登録商標）ヘッドセットに送信するように通信モジュールを制御するように構成され、Ｂｌｕｅｔｏｏｔｈ（登録商標）ペアリング要求は、通信デバイスとのＢｌｕｅｔｏｏｔｈ（登録商標）ペアリングを確立するように要求するべく用いられ、Ｂｌｕｅｔｏｏｔｈ（登録商標）ヘッドセットの識別子情報は、通信モジュールにより受信される第１の通知で保持され、またはＢｌｕｅｔｏｏｔｈ（登録商標）ヘッドセットの識別子情報は、通信デバイス８０に予め格納され、Ｂｌｕｅｔｏｏｔｈ（登録商標）を用いてボイスメッセージをＢｌｕｅｔｏｏｔｈ（登録商標）ヘッドセットに送信するように通信モジュール８１を制御する。
【０１８８】
更に、図１０に示され、図１１に示されるプロセッサ８２および通信モジュール８１を含む通信デバイス８０に基づいて、通信デバイス８０は、ストレージ８３、入力モジュール８４、出力モジュール８５等の複数のモジュール、および電源８６を更に含み得る。更に、本発明の本実施形態において、プロセッサ８２、通信モジュール８１、ストレージ８３、出力モジュール８４、および出力モジュール８５等の複数のモジュールが、バスを用いて互いに接続され、通信を完全なものとする。
【０１８９】
プロセッサ８２、通信モジュール８１、ストレージ８３、出力モジュール８４、および出力モジュール８５等の複数のモジュール、ならびに上述のこれらのモジュールを接続するバス等の具体的な説明については、本発明の実施形態６における関連する内容を参照することができ、詳細は、本明細書の本実施形態において再度説明されない。バスは１つの太線のみを用いて図１０および図１１に表されるが、これは１つのバスまたは１つのタイプのバスのみが存在することを表す。
【０１９０】
本発明の本実施形態において提供される通信デバイス８０は、通信デバイスにより送信された第１の通知を受信した後、Ｂｌｕｅｔｏｏｔｈ（登録商標）を用いてＢｌｕｅｔｏｏｔｈ（登録商標）ヘッドセットにボイスメッセージを送信し得る。Ｂｌｕｅｔｏｏｔｈ（登録商標）ヘッドセット、ウェアラブルデバイス、および通信デバイス間のデータ交換を用いて、Ｂｌｕｅｔｏｏｔｈ（登録商標）ヘッドセットと通信デバイスとの間のボイスメッセージの送信が実装され得る。更に、Ｂｌｕｅｔｏｏｔｈ（登録商標）ヘッドセットのＢｌｕｅｔｏｏｔｈ（登録商標）機能は、Ｂｌｕｅｔｏｏｔｈ（登録商標）ヘッドセットがウェアラブルデバイスから取り外される前は無効状態にとどまるように設定され得る。Ｂｌｕｅｔｏｏｔｈ（登録商標）機能は、Ｂｌｕｅｔｏｏｔｈ（登録商標）ヘッドセットがウェアラブルデバイスから取り外された後にのみ（すなわち、ユーザがＢｌｕｅｔｏｏｔｈ（登録商標）ヘッドセットをウェアラブルデバイスから取り外し、Ｂｌｕｅｔｏｏｔｈ（登録商標）ヘッドセットがおそらくは用いられる場合）有効にされ、これにより、Ｂｌｕｅｔｏｏｔｈ（登録商標）ヘッドセットのＢｌｕｅｔｏｏｔｈ（登録商標）機能は、長時間有効状態にあるので、Ｂｌｕｅｔｏｏｔｈ（登録商標）ヘッドセットの電力消費量が相対的に高いという問題を回避し、Ｂｌｕｅｔｏｏｔｈ（登録商標）ヘッドセットの電力消費量を低減し得る。
【０１９１】
複数の実装方式に関する上述の説明により、当業者は、好都合で簡潔な説明を目的として、上述の複数の機能モジュールの分割が例示のための一例として解釈されると理解することができる。実際の用途において、上述の複数の機能は、要求に応じて異なる複数のモジュールに割り当てられて実装され得る。すなわち、装置の内部構造は、上記の複数の機能の全てまたは一部を実装するべく、異なる複数の機能モジュールに分割される。上述のシステム、装置、およびユニットの詳細な作業プロセスについては、上述の方法の複数の実施形態における対応するプロセスを参照することができ、詳細は、本明細書において再度説明されない。
【０１９２】
本願で提供されるいくつかの実施形態においては、開示されるシステム、装置、および方法が他の複数の態様で実装され得ることを理解されたい。例えば、説明される装置の実施形態は、例示的なものに過ぎない。例えば、モジュールまたはユニットの分割は、論理機能の分割に過ぎず、実際の実装においては他の分割であってもよい。例えば、複数のユニットまたはコンポーネントが別のシステムに組み合わされ、もしくは統合されてもよく、またはいくつかの機能は無視され、もしくは実行されなくてもよい。更に、表示され、もしくは検討された相互の結合もしくは直接的結合、または通信接続は、いくつかのインタフェースを用いることにより実装され得る。複数の装置またはユニット間の間接的結合または通信接続は、電子的、機械的、または他の形態で実装され得る。
【０１９３】
別個の複数の部品として説明されるユニットは、物理的に別個のものであり得るか、もしくはそうでない場合があり、ユニットとして表示される複数の部品は、物理的ユニットであり得るか、もしくはそうでない場合があり、ある位置に配置される場合があり、または複数のネットワークユニット上に分散される場合がある。これらのユニットのうちのいくつかまたは全ては、複数の実施形態の解決法における目的を実現するべく、実際の必要性に応じて選択され得る。
【０１９４】
更に、本発明の複数の実施形態における複数の機能ユニットは、１つのプロセッサ６１に統合されてもよく、または複数のユニットの各々は、物理的に単独で存在し得、または２つもしくはより多くのユニットが１つのユニットに統合される。統合ユニットは、ハードウェアの形態で実装されてもよく、またはソフトウェア機能ユニットの形態で実装されてもよい。
【０１９５】
統合ユニットがソフトウェア機能ユニットの形態で実装され、独立した製品として販売され、または用いられる場合、統合ユニットは、コンピュータ可読ストレージ媒体に格納され得る。そのような理解に基づいて、本発明の複数の技術的解決法、または従来技術に寄与する部分、またはこれらの技術的解決法の全てもしくは一部は、本質的にソフトウェア製品の形態で実装され得る。ソフトウェア製品は、ストレージ媒体に格納され、コンピュータデバイス（パーソナルコンピュータ、サーバ、もしくはネットワークデバイスであり得る）またはプロセッサに、本発明の複数の実施形態で説明される複数の方法における複数の段階の全てもしくは一部を実行するように命令するためのいくつかの命令を含む。上述のストレージ媒体としては、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスク等、プログラムコードを格納し得る任意の媒体が挙げられる。
【０１９６】
上述の説明は、本発明の特定の実装方式に過ぎず、本発明の保護範囲を限定することを意図するものではない。本発明において開示される技術的範囲内で当業者により容易に考え出されるいずれの変更形態または代替形態も、本発明の保護範囲に包含されるものとする。従って、本発明の保護範囲は、請求項の保護範囲に従うものとする。
【図１】
0006381061.tif 000002
【図２】
0006381061.tif 000003
【図３】
0006381061.tif 000004
【図４】
0006381061.tif 000005
【図５】
0006381061.tif 000006
【図６】
0006381061.tif 000007
【図７】
0006381061.tif 000008
【図８】
0006381061.tif 000009
【図９】
0006381061.tif 000010
【図１０】
0006381061.tif 000011
【図１１】
0006381061.tif 000012